(57)【特許請求の範囲】
【請求項１】
サーバによって、画像に関連する情報へのアクセスを提供するための方法であって、
第１の画像情報と、登録情報と、第１の画像に関する関連情報とを第１のデバイスから受信することと、
前記第１の画像情報に関連する第１の特徴テンプレートと、前記登録情報と、前記第１の画像に関する前記関連情報とを記憶し相関付けることと、
第２の画像についての第２の特徴テンプレートと要求に対する信頼を確立するための情報を第２のデバイスから受信することと、ここにおいて、前記信頼を確立するための情報は前記第２のデバイスと関連する認証情報を備える、
前記第１の特徴テンプレートと前記第２の画像についての前記第２の特徴テンプレートとを比較することと、前記第１の特徴テンプレートがマッチングする特徴テンプレートであることを識別することと、
前記第１の特徴テンプレートが前記マッチングする特徴テンプレートであることを識別することに応答して、前記第１の特徴テンプレートに関する前記関連情報が前記第２のデバイスと共有され得るかどうかを決定することと、ここにおいて、前記決定することは、前記サーバによって前記第２のデバイスと共有するために、前記第１の画像の前記関連情報の全部、または一部が使用可能であるか、あるいはいずれもが使用可能でないかを決定するために、前記第１の画像の前記登録情報と前記第２のデバイスの前記認証情報を比較することを備える、
共有するために、前記関連情報の全部、または一部が使用可能であるか、あるいはいずれもが使用可能でないかを決定することに基づいて、前記第１の特徴テンプレートに関する前記関連情報についてのアクセス指示を前記第２のデバイスに返信することと、ここにおいて、前記アクセス指示は、前記サーバによって前記第１の画像の前記関連情報の全部、または一部を共有すること、あるいはいずれもが共有しないことに関係する明示的な肯定応答または明示的な否定応答を含む、
前記サーバによって、前記サーバが前記第１の特徴テンプレートが前記第２の特徴テンプレートに対する前記マッチングする特徴テンプレートであることを識別することを前記第１のデバイスに通知することと、
を備える、
方法。
【請求項２】
前記第２のデバイスと共有するために、前記第１の特徴テンプレートに関する前記関連情報の全部、または一部が使用可能であるか、あるいはいずれもが使用可能でないかを前記決定することは、前記関連情報の全部が前記認証情報と前記登録情報を比較することに少なくとも部分的に基づいて、前記第２のデバイスと共有するために使用可能であると決定することを備え、
前記アクセス指示を前記第２のデバイスに前記返信することは、前記明示的な肯定応答と前記第１の特徴テンプレートに関する前記関連情報の全部とを前記第２のデバイスに返信することを備える、請求項１に記載の方法。
【請求項３】
前記第２のデバイスと共有するために前記第１の特徴テンプレートに関する前記関連情報の全部、または一部が使用可能であるか、あるいはいずれもが使用可能でないかを前記決定することは、前記認証情報と前記登録情報を比較することに少なくとも部分的に基づいて、前記関連情報のサブセットが前記第２のデバイスと共有するために使用可能であると決定することを備え、
前記アクセス指示を前記第２のデバイスに前記返信することは、前記明示的な肯定応答と前記第１の特徴テンプレートに関する前記関連情報の前記サブセットとを前記第２のデバイスに返信することを備える、請求項１に記載の方法。
【請求項４】
第２のデバイスと共有するために前記第１の特徴テンプレートに関する前記関連情報の全部、または一部が使用されるか、あるいはいずれもが使用可能でないかを前記決定することは、前記認証情報と前記登録情報を比較することに少なくとも部分的に基づいて、前記第１の特徴テンプレートに関する前記関連情報のいずれも前記第２のデバイスと共有するために使用可能でないと決定することを備え、
前記アクセス指示を前記第２のデバイスに前記返信することは、前記明示的な否定応答を返信することを備える、請求項１に記載の方法。
【請求項５】
前記第１の画像情報を前記受信することは、前記第１の画像を受信することを備え、前記方法は、
前記第１の画像から第１の特徴データを抽出することと、
前記抽出された第１の特徴データに少なくとも部分的に基づいて前記第１の画像についての前記第１の特徴テンプレートを作成することと
をさらに備え、
ここにおいて、前記第１の特徴テンプレートを前記記憶し前記相関付けることは、前記第１の画像または前記抽出された第１の特徴データのうちの少なくとも１つにさらに関連する、請求項１に記載の方法。
【請求項６】
前記特徴データを前記抽出することは、パラメトリックデータを抽出することを備える、請求項５に記載の方法。
【請求項７】
前記第１の画像情報を前記受信することは、前記第１の特徴テンプレートを受信することを備える、請求項１に記載の方法。
【請求項８】
前記第１の特徴テンプレートおよび前記第２の特徴テンプレートは被覆特徴テンプレート（ＳＦＴ）である、請求項１に記載の方法。
【請求項９】
サーバによって、画像に関連する情報へのアクセスを提供するためのコンピュータ実行可能コードを記憶する非一時的なコンピュータ可読媒体であって、前記コンピュータ実行可能コードは、
第１の画像情報と、登録情報と、第１の画像に関する関連情報とを第１のデバイスから受信するためのコードと、
前記第１の画像情報に関連する第１の特徴テンプレートと、前記登録情報と、前記第１の画像に関する前記関連情報とを記憶し相関付けするためのコードと、
第２の画像についての第２の特徴テンプレートと要求に対する信頼を確立するための情報を第２のデバイスから受信するためのコードと、ここにおいて、前記信頼を確立するための情報は前記第２のデバイスと関連する認証情報を備える、
前記第１の特徴テンプレートと前記第２の画像についての前記第２の特徴テンプレートとを比較し、前記第１の特徴テンプレートがマッチングする特徴テンプレートであることを識別するためのコードと、
前記第１の特徴テンプレートが前記マッチングする特徴テンプレートであることを決定することに応答して、前記第１の特徴テンプレートに関する前記関連情報が前記第２のデバイスと共有され得るかどうかを決定するためのコードと、ここにおいて、前記決定するためのコードは、前記サーバによって前記第２のデバイスと共有するために、前記第１の画像の前記関連情報の全部、または一部が使用可能であるか、あるいはいずれもが使用可能でないかを決定するために、前記第１の画像の前記登録情報と前記第２のデバイスの前記認証情報を比較するためのコードを備える、
共有するために、前記関連情報の全部、または一部が使用可能であるか、あるいはいずれもが使用可能でないかを決定することに基づいて、前記第１の特徴テンプレートに関する前記関連情報についてのアクセス指示を前記第２のデバイスに返信するためのコードと、ここにおいて、前記アクセス指示は、前記サーバによって前記第１の画像の前記関連情報の全部、または一部を共有すること、あるいはいずれもが共有しないことに関係する明示的な肯定応答または明示的な否定応答を含む、
前記第１の特徴テンプレートが前記第２の特徴テンプレートに対する前記マッチングする特徴テンプレートであることを識別することを比較するための前記コードを前記第１のデバイスに通知するためのコードと、
を備える、
非一時的なコンピュータ可読媒体。
【請求項１０】
サーバによって、画像に関連する情報へのアクセスを提供するための装置であって、
第１の画像情報と、登録情報と、第１の画像に関する関連情報とを第１のデバイスから受信するための手段と、
前記第１の画像情報に関連する第１の特徴テンプレートと、前記登録情報と、前記第１の画像に関する前記関連情報とを記憶し相関付けるための手段と、
第２の画像についての第２の特徴テンプレートと要求に対する信頼を確立するための情報を第２のデバイスから受信するための手段と、ここにおいて、前記信頼を確立するための情報は前記第２のデバイスと関連する認証情報を備える、
前記第１の特徴テンプレートと前記第２の画像についての前記第２の特徴テンプレートとを比較し、前記第１の特徴テンプレートがマッチングする特徴テンプレートであることを識別するための手段と、
前記第１の特徴テンプレートが前記マッチングする特徴テンプレートであることを決定することに応答して、前記第１の特徴テンプレートに関する前記関連情報が前記第２のデバイスと共有され得るかどうかを決定するための手段と、ここにおいて、前記決定するための手段は、前記サーバによって前記第２のデバイスと共有するために、前記第１の画像の前記関連情報の全部、または一部が使用可能であるか、あるいはいずれもが使用可能でないかを決定するために、前記第１の画像の前記登録情報と前記第２のデバイスの前記認証情報を比較するための手段を備える、
共有するために、前記関連情報の全部、または一部が使用可能であるか、あるいはいずれもが使用可能でないかを決定することに基づいて、前記第１の特徴テンプレートに関する前記関連情報についてのアクセス指示を前記第２のデバイスに返信するための手段と、ここにおいて、前記アクセス指示は、前記サーバによって前記第１の画像の前記関連情報の全部、または一部を共有すること、あるいはいずれもが共有しないことに関係する明示的な肯定応答または明示的な否定応答を含む、
前記第１の特徴テンプレートが前記第２の特徴テンプレートに対する前記マッチングする特徴テンプレートであることを前記比較識別するための手段を前記第１のデバイスに通知するための手段と、
を備える、装置。
【請求項１１】
サーバによって、画像に関連する情報へのアクセスを提供するための装置であって、
第１の画像情報と、登録情報と、第１の画像に関する関連情報とを第１のデバイスから受信し、
前記第１の画像情報に関連する第１の特徴テンプレートと、前記登録情報と、前記第１の画像に関する前記関連情報とを記憶し相関付けるように構成された登録構成要素と、
被覆特徴テンプレート（ＳＦＴ）比較構成要素であって、
第２の画像についての第２の特徴テンプレートと要求に対する信頼を確立するための情報を第２のデバイスから受信し、ここにおいて、前記信頼を確立するための情報は前記第２のデバイスと関連する認証情報を備える、
前記第１の特徴テンプレートと前記第２の画像についての前記第２の特徴テンプレートとを比較し、前記第１の特徴テンプレートがマッチングする特徴テンプレートであることを識別し、
前記第１の特徴テンプレートが前記マッチングする特徴テンプレートであることを決定し、前記サーバによって前記第２のデバイスと共有するために、前記第１の画像の前記関連情報の全部、または一部が使用可能であるか、あるいはいずれもが使用可能でないかを決定するために、前記第１の画像の前記登録情報と前記第２のデバイスの前記認証情報を比較するように構成されていることを含むことに応答して、前記第１の特徴テンプレートに関する前記関連情報が前記第２のデバイスと共有され得るかどうかを決定し、
共有するために、前記関連情報の全部、または一部が使用可能であるか、あるいはいずれもが使用可能でないかを決定することに基づいて、前記第１の特徴テンプレートに関する前記関連情報についてのアクセス指示を前記第２のデバイスに返信し、ここにおいて、前記アクセス指示は、前記サーバによって前記第１の画像の前記関連情報の全部、または一部を共有すること、あるいはいずれもが共有しないことに関係する明示的な肯定応答または明示的な否定応答を含む、
前記第１の特徴テンプレートが前記第２の特徴テンプレートに対する前記マッチングする特徴テンプレートであることを識別する前記ＳＦＴ比較構成要素を前記第１のデバイスに通知する、
ように構成された、ＳＦＴ比較構成要素と、を備える、装置。
【請求項１２】
前記第２のデバイスと共有するために前記第１の特徴テンプレートに関する前記関連情報の全部、または一部を使用する、あるいはいずれもが使用しないかどうかを決定するように構成された前記ＳＦＴ比較構成要素は、前記認証情報と前記登録情報を比較することに少なくとも部分的に基づいて、前記関連情報の全部が前記第２のデバイスと共有するために使用可能であると決定するようにさらに構成され、
前記アクセス指示を前記第２のデバイスに返信するように構成された前記ＳＦＴ比較構成要素は、前記明示的な肯定応答と前記第１の特徴テンプレートに関する前記関連情報の全部とを前記第２のデバイスに返信するようにさらに構成される、請求項１１に記載の装置。
【請求項１３】
前記第２のデバイスと共有するために、前記第１の特徴テンプレートに関する前記関連情報の全部、または一部が使用可能であるか、あるいはいずれもが使用可能でないかを決定するように構成された前記ＳＦＴ比較構成要素は、前記認証情報と前記登録情報を比較することに少なくとも部分的に基づいて、前記関連情報のサブセットが前記第２のデバイスと共有するために使用可能であると決定するようにさらに構成され、
前記アクセス指示を前記第２のデバイスに返信するように構成された前記ＳＦＴ比較構成要素は、前記明示的な肯定応答と前記第１の特徴テンプレートに関する前記関連情報の前記サブセットとを前記第２のデバイスに返信するようにさらに構成される、請求項１１に記載の装置。
【請求項１４】
前記第２のデバイスと共有するために、前記第１の特徴テンプレートに関する前記関連情報の全部、または一部が使用可能であるか、あるいはいずれもが使用可能でないかを決定するように構成された前記ＳＦＴ比較構成要素は、前記認証情報と前記登録情報を比較することに少なくとも部分的に基づいて、前記第１の特徴テンプレートに関する前記関連情報のいずれも前記第２のデバイスと共有するために使用可能ではないと決定するようにさらに構成され、
前記アクセス指示を返信するように構成された前記ＳＦＴ比較構成要素は、前記明示的な否定応答を返信するようにさらに構成される、請求項１１に記載の装置。
【請求項１５】
前記第１の画像情報を受信するように構成された前記登録構成要素は、前記第１の画像を受信するようにさらに構成され、前記装置は、
前記第１の画像から第１の特徴データを抽出し、
前記抽出された第１の特徴データに基づいて前記第１の画像についての前記第１の特徴テンプレートを作成するように構成された特徴テンプレート構成要素をさらに備え、ここにおいて、前記登録構成要素は、前記第１の画像または前記抽出された第１の特徴データのうちの少なくとも１つに関連する前記第１の特徴テンプレートを記憶し相関付けるようにさらに構成される、請求項１１に記載の装置。
【請求項１６】
前記第１の特徴データを抽出するように構成された前記特徴テンプレート構成要素はパラメトリックデータを抽出するようにさらに構成される、請求項１５に記載の装置。
【請求項１７】
前記第１の特徴テンプレートと前記第２の特徴テンプレートはＳＦＴである、請求項１５に記載の装置。
【請求項１８】
前記第１の画像情報を受信するように構成された前記登録構成要素は、前記第１の特徴テンプレートを受信するようにさらに構成される、請求項１１に記載の装置。
【発明の詳細な説明】
【技術分野】
【０００１】
[0001]本開示の態様は、一般にワイヤレス通信に関し、より詳細には、画像に関連する情報へのアクセスを要求および提供する装置および方法に関する。
【背景技術】
【０００２】
[0002]様々な適用例は、視覚表現（たとえば、画像またはピクチャ）中の対象物を識別することが可能である機械またはプロセッサを有することから恩恵を受け得る。コンピュータビジョンの分野は、コンピュータによって画像中の対象物または特徴を識別することを可能にする技法および／またはアルゴリズムを提供しようと試みている。これらの技法および／またはアルゴリズムはまた、しばしば、適用例の中でも、顔認識、対象物検出、画像マッチング、パノラマスティッチング、３次元構造構築、ステレオ対応、および／または動き追跡に適用される。
【０００３】
[0003]顔または対象物を識別するために、画像内の顔および対象物をデータソースとマッチングさせることによって、顔および他の対象物を見分けるためのコンピュータビジョンの使用は、それとともにセキュリティ、プライバシー、公開および倫理上の懸念をもたらしている。たとえば、道路標識などの公共対象物は、そのような像が個人によって認識され得ることを意図して衆目にさらされている。同様に、コンピュータビジョンによる公共対象物の認識は、懸念の原因となることはない。だが対照的に、コンピュータビジョンによる画像内のいくつかの対象物または顔の認識は、様々な理由で望ましくないことがある。一例では、母親が、コンピュータビジョンによる我が子の顔を含む画像の認識を防ぎたいと思うことがある。別の例では、個人が、その人がどこに住んでいるか、またはその人がどこに移動しているかを見知らぬ人が知ることができないように、コンピュータビジョンによる（その人に属するものとしての）その人の家または車の認識を防ぎたいと思うことがある。別の例では、人々が、コンピュータビジョンによって画像内で自分の顔が認識される結果として決定され共有され得る自分に関する情報を制限したいと思うことがある。そのような懸念は、そのような画像の認識を制御することだけではなく、ワイヤレス通信システムを介したそのような画像の送信を制御することも望む気持ちにまで及ぶことがある。
【０００４】
[0004]１つの解決策として、画像内で個人の顔を認識すること、ワイヤレス通信システムを介してその人の画像を送信すること、またはその人（もしくはその人の顔が現れている画像）に関係する情報を、画像を保有している別の個人に提供することのためにコンピュータビジョンを使用する前に、その人からの明示的な許可を求めることがあろう。しかしながら、画像を認識または送信するためにそのような画像の被写体の許可を要請することは、不便であることや不可能であることがあり、望ましくないことがある。さらに、また皮肉なことに、画像の認識および／または送信のために誰の許可が求められるべきか（たとえば、画像中に顔がある個人の身元）が、個人がコンピュータビジョンによって認識される（および／またはワイヤレス通信システム内でコンピュータビジョンサーバに送信される）までわからないことがあり、それでは逆効果となり、許容できないだろう。
【０００５】
[0005]したがって、画像の被写体が、コンピュータビジョンによって認識されること、ワイヤレス通信システム内で画像を送信すること、および／または画像に関連するデバイスに被写体に関する情報を提供することに関心を有し得るかどうかを決定する際の改善が、望まれ得る。
【発明の概要】
【０００６】
[0006]以下で、１つまたは複数の態様の基本的理解を与えるために、そのような態様の簡略化された概要を提示する。この概要は、すべての企図された態様の包括的な概観ではなく、すべての態様の主要なまたは重要な要素を識別するものでも、いずれかまたはすべての態様の範囲を定めるものでもない。その唯一の目的は、後で提示されるより詳細な説明の導入として、１つまたは複数の態様のいくつかの概念を簡略化された形で提示することである。
【０００７】
[0007]一態様では、デバイスによって、画像に関連する情報へのアクセスを要求するための方法が説明される。本方法は、画像から特徴データを抽出することを含み得る。本方法は、抽出された特徴データに基づいて画像についての特徴テンプレートを作成することを含み得る。本方法は、サーバに特徴テンプレートを提供することを含み得る。本方法は、画像に関する関連情報についてのアクセス指示をサーバから受信することを含み得る。
【０００８】
[0008]一態様では、デバイスによって、画像に関連する情報へのアクセスを要求するためのコンピュータプログラム製品が説明される。本コンピュータプログラム製品は、コンピュータに、画像から特徴データを抽出させるための少なくとも１つの命令を含み得る。本コンピュータプログラム製品は、コンピュータに、抽出された特徴データに基づいて画像についての特徴テンプレートを作成させるための少なくとも１つの命令を含み得る。本コンピュータプログラム製品は、コンピュータに、サーバに特徴テンプレートを提供させるための少なくとも１つの命令を含み得る。本コンピュータプログラム製品は、コンピュータに、画像に関する関連情報についてのアクセス指示をサーバから受信させるための少なくとも１つの命令を含み得る。
【０００９】
[0009]一態様では、デバイスによって、画像に関連する情報へのアクセスを要求するための装置が説明される。本装置は、画像から特徴データを抽出するための手段を含み得る。本装置は、抽出された特徴データに基づいて画像についての特徴テンプレートを作成するための手段を含み得る。本装置は、サーバに特徴テンプレートを提供するための手段を含み得る。本装置は、画像に関する関連情報についてのアクセス指示をサーバから受信するための手段を含み得る。
【００１０】
[0010]一態様では、デバイスによって、画像に関連する情報へのアクセスを要求するための装置が説明される。本装置は、特徴テンプレート構成要素を含み得る。特徴テンプレート構成要素は、画像から特徴データを抽出するように構成され得る。特徴テンプレート構成要素は、抽出された特徴データに基づいて画像についての特徴テンプレートを作成するように構成され得る。本装置は、関連情報要求構成要素を含み得る。関連情報要求構成要素は、サーバに特徴テンプレートを提供するように構成され得る。関連情報要求構成要素は、画像に関する関連情報についてのアクセス指示をサーバから受信するように構成され得る。
【００１１】
[0011]一態様では、サーバによって、画像に関連する情報へのアクセスを提供するための方法が説明される。本方法は、第１の画像情報と、登録情報と、第１の画像に関する関連情報とを第１のデバイスから受信することを含み得る。本方法は、第１の画像情報に関連する特徴テンプレートと、登録と、第１の画像に関する関連情報とを記憶し相関付けることを含み得る。本方法は、第２の画像についての第２の特徴テンプレートを第２のデバイスから受信することを含み得る。本方法は、以前記憶された特徴テンプレートと第２の画像についての第２の特徴テンプレートを、以前記憶された特徴テンプレートの中でマッチングする特徴テンプレートを識別するために比較することを含み得る。本方法は、マッチングする特徴テンプレートに関する関連情報が第２のデバイスと共有され得るかどうかを決定することを含み得る。本方法は、マッチングする特徴テンプレートに関する関連情報についてのアクセス指示を第２のデバイスに返信することを含み得る。
【００１２】
[0012]一態様では、サーバによって、画像に関連する情報へのアクセスを提供するためのコンピュータプログラム製品が説明される。本コンピュータプログラム製品は、コンピュータに、第１の画像情報と、登録情報と、第１の画像に関する関連情報とを第１のデバイスから受信させるための少なくとも１つの命令を含み得る。本コンピュータプログラム製品は、コンピュータに、第１の画像情報に関連する特徴テンプレートと、登録と、第１の画像に関する関連情報とを記憶させ相関付けさせるための少なくとも１つの命令を含み得る。本コンピュータプログラム製品は、コンピュータに、第２の画像についての第２の特徴テンプレートを第２のデバイスから受信させるための少なくとも１つの命令を含み得る。本コンピュータプログラム製品は、コンピュータに、以前記憶された特徴テンプレートと第２の画像についての第２の特徴テンプレートを、以前記憶された特徴テンプレートの中でマッチングする特徴テンプレートを識別するために比較させるための少なくとも１つの命令を含み得る。本コンピュータプログラム製品は、コンピュータに、マッチングする特徴テンプレートに関する関連情報が第２のデバイスと共有され得るかどうかを決定させるための少なくとも１つの命令を含み得る。本コンピュータプログラム製品は、コンピュータに、マッチングする特徴テンプレートに関する関連情報についてのアクセス指示を第２のデバイスに返信させるための少なくとも１つの命令を含み得る。
【００１３】
[0013]一態様では、サーバによって、画像に関連する情報へのアクセスを提供するための装置が説明される。本装置は、第１の画像情報と、登録情報と、第１の画像に関する関連情報とを第１のデバイスから受信するための手段を含み得る。本装置は、第１の画像情報に関連する特徴テンプレートと、登録と、第１の画像に関する関連情報とを記憶し相関付けるための手段を含み得る。本装置は、第２の画像についての第２の特徴テンプレートを第２のデバイスから受信するための手段を含み得る。本装置は、以前記憶された特徴テンプレートと第２の画像についての第２の特徴テンプレートを、以前記憶された特徴テンプレートの中でマッチングする特徴テンプレートを識別するために比較するための手段を含み得る。本装置は、マッチングする特徴テンプレートに関する関連情報が第２のデバイスと共有され得るかどうかを決定するための手段を含み得る。本装置は、マッチングする特徴テンプレートに関する関連情報についてのアクセス指示を第２のデバイスに返信するための手段を含み得る。
【００１４】
[0014]一態様では、サーバによって、画像に関連する情報へのアクセスを提供するための装置が説明される。本装置は、登録構成要素を含み得る。登録構成要素は、第１の画像情報と、登録情報と、第１の画像に関する関連情報とを第１のデバイスから受信するように構成され得る。登録構成要素は、第１の画像情報に関連する特徴テンプレートと、登録と、第１の画像に関する関連情報とを記憶し相関付けるように構成され得る。本装置は、被覆特徴テンプレート（ＳＦＴ：shrouded feature template）比較構成要素を含み得る。被覆特徴テンプレート（ＳＦＴ）比較構成要素は、第２の画像についての第２の特徴テンプレートを第２のデバイスから受信し、以前記憶された特徴テンプレートと第２の画像についての第２の特徴テンプレートを、以前記憶された特徴テンプレートの中でマッチングする特徴テンプレートを識別するために比較するように構成され得る。被覆特徴テンプレート（ＳＦＴ）比較構成要素は、マッチングする特徴テンプレートに関する関連情報が第２のデバイスと共有され得るかどうかを決定するように構成され得る。被覆特徴テンプレート（ＳＦＴ）比較構成要素は、マッチングする特徴テンプレートに関する関連情報についてのアクセス指示を第２のデバイスに返信するように構成され得る。
【００１５】
[0015]上記および関係する目的を達成するために、１つまたは複数の態様は、以下で十分に説明され、特に特許請求の範囲で指摘される特徴を備える。以下の説明および添付の図面に、１つまたは複数の態様のうちのいくつかの例示的な特徴を詳細に記載する。ただし、これらの特徴は、様々な態様の原理が採用され得る様々な方法のうちのほんのいくつかを示すものであり、この説明は、すべてのそのような態様およびそれらの均等物を含むものとする。
【００１６】
[0016]添付の図面とともに以下に説明する開示する態様は、開示する態様を限定するためではなく、開示する態様を例示するために与えられ、同様の表示は同様の要素を示す。
【図面の簡単な説明】
【００１７】
【図１】[0017]画像に関連する情報へのアクセスを要求および提供するための通信システムの一態様のブロック図。
【図２】[0018]画像に関連する情報へのアクセスを要求および提供する一態様の流れ図。
【図３】[0019]本開示のデバイスの一態様のブロック図。
【図４】[0020]本開示の別のデバイスの一態様のブロック図。
【図５】[0021]本開示のサーバの一態様のブロック図。
【図６】[0022]画像に関連する情報へのアクセスをデバイスによって要求するための方法の一態様のフローチャート。
【図７】[0023]画像に関連する情報へのアクセスをサーバによって提供するための方法の一態様のフローチャート。
【図８】[0024]本開示のコンピュータデバイスの一態様のブロック図。
【発明を実施するための形態】
【００１８】
[0025]ここで、図面を参照しながら様々な態様について説明する。以下の説明では、説明のために、１つまたは複数の態様の完全な理解を与えるために多数の具体的な詳細を記載する。ただし、そのような態様は、これらの具体的な詳細なしに実施され得ることは明らかであろう。
【００１９】
[0026]説明する態様は、画像に関連する情報へのアクセスを要求および提供する方法および装置に関する。本方法および装置は、実際の画像を通信する代わりに、通信において使用するための特徴テンプレートを生成することを含む、画像の安全な通信に関係する態様を含み得る。この場合、たとえば、特徴テンプレートは、画像に対するデータの縮小セットを含み、データの縮小セットは画像と相関する。したがって、画像に関係する通信における特徴テンプレートの使用を通して、画像は事実上、覆われ、もしくは隠され、またはさもなければ盗み取り（eavesdropping）から保護される。さらに、本方法および装置は、画像に関係する関連情報の信頼できる配布に関係する態様を含み得る。この場合、たとえば、本方法および装置は、関連情報を要求しているデバイスを認証し、認証に基づいて１つまたは複数のレベルの関連情報を提供することができる。したがって、本態様は、プライバシーの懸念に対処すること、ならびに画像に対応する関連情報の配布に対する制御を可能にすることができる。
【００２０】
[0027]特に、たとえば、説明する態様は、画像についての受信された特徴テンプレートを画像の以前記憶された特徴テンプレートと比較するサーバと、要求側デバイスからの要求に対する信頼を確立するための情報（たとえば、認証情報）とを、受信された特徴テンプレートに対するマッチングをサーバが有するかどうか、および画像に関連する情報を要求しているデバイスがそのような関連情報の全部またはある部分を受信すべきかどうかを決定するために提供することができる。一例では、受信された特徴テンプレートおよび記憶された特徴テンプレートは、特徴データの固有のセットを含み、これはたとえば、人の顔を特徴付けるデータなどのバイオメトリック情報を含み得る。したがって、ある場合には、第１の人（たとえば、画像の被写体）に関連する顔を含む画像についての特徴テンプレートは、１人または複数の人々に関連する（および第１の人を潜在的に含む）顔を含む画像の以前記憶された特徴テンプレートと比較され得る。したがって、また本例では、関連情報は、顔が画像に含まれる個人（たとえば、画像の被写体）を識別する情報と、個人に関する他の情報とを含み得る。
【００２１】
[0028]さらに、この例では、第１の個人は、サーバに関連するサービスに登録することによって、第１の個人の顔を含む画像に関する関連情報を本装置および方法が共有するのを積極的に認めることをオプトインし得る。一態様では、第１の個人の登録は、登録パラメータと、第１の個人の顔を含む画像と、画像に関する関連情報とを含み得る。したがって、サーバは、第１の個人の顔の画像についての特徴テンプレートを作成し、登録パラメータおよび画像に関する関連情報と特徴テンプレートを相関付け、記憶することができる。別の態様では、登録は、登録パラメータと、第１の画像情報と、第１の画像に関する関連情報とを含むことができ、この場合に第１の画像情報は、第１の画像の特徴テンプレートである。関連情報は、たとえば、第１の個人についての識別情報（たとえば、第１の個人の名前またはニックネーム）、第１の個人のウェブサイトのＵＲＬ、連絡先詳細情報、たとえば電話番号、電子メールアドレス、およびソーシャルメディアプロフィール、ならびに／または第１の個人の顔の別の（好ましい）画像を含み得る。サーバは、画像に関する関連情報をデバイスと共有するかどうかを、登録パラメータ、サーバに関連するサービスの設定、および関連情報を要求するデバイスに関連する情報（たとえば、デバイスのユーザである別の個人に関する情報）に基づいて決定する。デバイスに関連する情報は、本態様の目的上、デバイスが信頼できるかどうかを決定するためにサーバによって使用される認証情報であり得る。
【００２２】
[0029]画像から特徴テンプレートを作成することによって、画像に関する情報（たとえば、特徴テンプレート）は、プライバシーの境界、感度、および／または何らかの法的制限に反することなく通信ネットワークで共有され得る。言い換えれば、たとえば、バイオメトリック特徴データ（たとえば、顔）などの特徴データを含む画像を安全でないネットワークで共有するのは望ましくないことがある。さらに、バイオメトリック特徴データ（たとえば、見知らぬ人に知られていない誰かの顔）を含む画像を取得した見知らぬ人がその画像を共有すること、および／または取得された画像もしくは画像内のバイオメトリック特徴データに関連する情報にアクセスできるようになることも望ましくないことがある。したがって、バイオメトリック特徴データを有する画像を取得したデバイスと、デバイスによって取得された画像と同じバイオメトリック特徴データを有し得る画像に関する関連情報を記憶したサーバとの間で信頼を確立するシステムが望まれ得る。
【００２３】
[0030]したがって、本例では、サーバは、デバイス（たとえば、または相応してデバイスのユーザ）が信頼できるかどうかを決定するように構成され得る。言い換えれば、サーバは、対応する特徴テンプレートを介して、デバイスによって取得され受信された画像とマッチングする記憶された画像に関する関連情報へのアクセスをデバイスが受信すべきかどうかを決定するように構成され得る。サーバは、そのような関連情報についての要求をデバイスから受信し、応答して、アクセス指示を提供するように構成され得る。アクセス指示は、関連情報をデバイスが入手できるかどうかをデバイスに通知することができる。関連情報を入手できない場合、デバイスはサーバから否定応答を受信し得る。関連情報を全体的にまたは部分的に入手できる場合、デバイスは、肯定応答と関連情報の一部（たとえば、サブセット）または関連情報の全部（たとえば、関連情報の一式または全量）とを受信することができる。
【００２４】
[0031]サーバは、デバイスと関連情報が共有できるかどうか、また関連情報のうちのどれだけが共有できるかを、デバイスに与えられた信頼のレベルに基づいて決定することができる。デバイスは、取得された画像とともに、デバイスのユーザについてのログイン資格証明などの認証情報を提供することによって、デバイスが信頼できることをサーバに示すことができる。サーバは、オプトイン参加者（たとえば、画像に顔が現れ得るか、または画像の被写体であり、一定の個人との関連情報の共有を承諾した人）からの登録情報およびサーバ設定に照らして認証情報を考慮することができる。
【００２５】
[0032]説明する態様は、２人の間の交流を容易にするためにある個人が別の個人に関する情報を求める様々なシナリオにおいて望ましいものであり得る。たとえば、第１の個人が、たとえば、レセプションなどの公的または私的イベントに出席していることがある。他の人々は、第１の個人の見知らぬ人、知り合い、または親友および同僚であることがあり、同じくレセプションにいる可能性が高い。あるそのような人（たとえば、第２の個人）が第１の個人を見つけ、第１の個人に以前会っているのではないかと思うことがあるが、第２の個人は、第１の個人の名前またはどのようにして２人が以前会ったかを思い出せないことがある。したがって、第２の個人が、２人の間の社会的交流を容易にするために、第１の個人に近づく前に第１の個人に関する情報を知る方法を有することが望ましいことがある。第２の個人は、部屋の端から第１の個人の写真を撮るためにデバイス（たとえば、スマートフォンなど）を使用することができる。デバイスは、本態様によれば、第２の個人が画像の被写体、たとえば第１の個人に関する情報を第１の個人のバイオメトリック特徴データ（たとえば、第１の個人の顔）を含む画像に基づいて要求することを可能にするように構成され得る。そのような情報を提供するように構成され得るサービスに第１の個人がオプトインしていると仮定し、さらに、デバイスがサービスによって適切に認証される（たとえば、信頼できる）と仮定すると、デバイスは第１の個人に関する情報を受信することができる。たとえば、画像の被写体（たとえば、第１の個人）に関する情報についての要求に応答して、デバイスは第１の個人の名前および雇用主を受信することができる。そのような情報は、第２の個人が第１の個人にどこで会ったかを思い出すことを可能にし得る。たとえば、第１の個人が特定の雇用主の下で働いていることを知ることによって、第２の個人は、２人が同じ業界にいることを認識し、業界会議で以前会ったことを思い出すことがある。その結果、第２の個人は、自分の名前を使用し、２人の以前の交流に関する詳細情報を備えて、自信を持って第１の個人に近づき、第１の個人と交流することができる。
【００２６】
[0033]図１を参照すると、通信システムの一態様は、デバイス１０２と、デバイス１０４と、サーバ１０６とを含む。一態様では、デバイス１０２は、サーバ１０６に関連するサービスにオプトインし得るユーザ（たとえば、「オプトイン参加者」）によって操作されるデバイスであり得る。一態様では、サーバ１０６に関連するサービスはソーシャルネットワークである。
【００２７】
[0034]デバイス１０２は、第１の画像１１１と、登録パラメータを含み得る登録情報１１２と、第１の画像１１１に対応する関連情報とをサーバ１０６に提供するように構成され得る。たとえば、第１の画像１１１は、オプトイン参加者に関連する特徴データ（たとえば、顔または他のバイオメトリック特徴データ）の抽出元となり得る画像であり得る。登録情報１１２は、関連情報１１３を要求している第２のデバイス（たとえば、デバイス１０４）と関連情報１１３が共有されるべきかどうか、また関連情報１１３のうちのどれだけが共有されるべきかを決定するようにサーバ１０６を構成するために使用され得るパラメータを含むことができる。関連情報１１３は、たとえば、オプトイン参加者についての識別情報、連絡先詳細情報、および／もしくはオプトイン参加者の顔の顔の別の（好ましい）画像、または参加者が別のデバイスと共有することを希望し得る任意の他の情報を含むことができる。
【００２８】
[0035]サーバ１０６は特徴テンプレート構成要素５３０を含み、特徴テンプレート構成要素５３０は、通信構成要素（図示せず）を介してデバイス１０２から第１の画像１１１を受信し、抽出された特徴データに基づいて第１の画像１１１についての特徴テンプレート、たとえば、第１の画像１１１に対応するデータの縮小セットを有する被覆特徴テンプレート（ＳＦＴ）１１５を作成するように構成され得る。第１の画像についてのＳＦＴは、ＳＦＴ（第１の画像）１１５と呼ばれ得る。特徴テンプレート構成要素５３０は、特徴テンプレート、たとえばＳＦＴ（第１の画像）１１５をメモリ５２０に記憶するように構成され得る。
【００２９】
[0036]サーバ１０６は登録構成要素５１０を含み、登録構成要素５１０は、通信構成要素（図示せず）を介してデバイス１０２から登録情報１１２と関連情報１１３とを受信するように構成され得る。登録構成要素５１０は、登録情報１１２と関連情報１１３とをＳＦＴ（第１の画像）と相関付け、登録情報１１２と関連情報１１３とをメモリ５２０に記憶するように構成され得る。
【００３０】
[0037]デバイス１０４は、特徴データを含む画像を受信するように構成され得る。その画像は「第２の画像」と呼ばれ得る。デバイス１０４は、第２の画像から特徴データ（たとえば、顔）を抽出し、特徴テンプレート、たとえば、ＳＦＴ（第２の画像）１２１と呼ばれ得る第２の画像についての被覆特徴テンプレート（ＳＦＴ）を作成するように構成され得る。デバイス１０４は、識別情報と第２の画像内の特徴データに関連する他の情報とを要求し得る。したがって、デバイス１０４は、ＳＦＴ（第２の画像）１２１を含み得る関連情報要求１２５をサーバ１０６に提供するように構成され得る。デバイス１０４はまた、たとえば、認証情報１２２など、デバイス１０４についての要求に対する信頼を確立するための情報（たとえば、認証情報）をサーバ１０６に提供するように構成され得る。認証情報１２２は、一態様では、サーバ１０６に関連するサービスについてのログイン資格証明を含み得る。したがって、サーバ１０６は、サーバ１０６とデバイス１０４との間の信頼を確立するためにデバイス１０４を認証し得る。
【００３１】
[0038]サーバ１０６はＳＦＴ比較構成要素５４０を含み、ＳＦＴ比較構成要素５４０は、通信構成要素（図示せず）を介してデバイス１０４からＳＦＴ（第２の画像）１２１を受信し、ＳＦＴ比較構成要素５４０がメモリ５２０から取り出し得る以前記憶されたＳＦＴとＳＦＴ（第２の画像）１２１を比較するように構成され得る。本例では、ＳＦＴ比較構成要素５４０は、ＳＦＴ（第１の画像）１１５がＳＦＴ（第２の画像）１２１に対するマッチングを有すると決定し得る。
【００３２】
[0039]登録構成要素５１０はまた、通信構成要素（図示せず）を介してデバイス１０４から認証情報１２２を受信するように構成され得る。一態様では、（たとえば、本例ではＳＦＴ（第１の画像）１１５とＳＦＴ（第２の画像）１２１との間の）マッチングが見出されると、登録構成要素５１０は、サーバ１０６が第１の画像に関する関連情報（たとえば、関連情報１１３）をデバイス１０４と共有し得るかどうかを決定するように構成され得る。別の態様では、ＳＦＴ比較構成要素５４０は、関連情報１１３をデバイス１０４と共有するかどうかについての決定を下すように構成され得る。いずれの場合も、決定は、一例では、認証情報１２２と組み合わせて登録情報１１２に基づいて下され得る。別の態様では、サーバ１０６に関連するサービスについての設定または他の要素などの追加情報も、決定を下す際に考慮され得る。
【００３３】
[0040]サーバ１０６は、デバイス１０４にアクセス指示１３１を提供するように構成され得る。一例では、サーバ１０６がＳＦＴ（第２の画像）１２１に対するマッチングを識別することができない場合、デバイス１０４に提供されるアクセス指示１３１は否定応答であり得る。一例では、サーバ１０６が、本例ではＳＦＴ（第１の画像）１１５などのＳＦＴ（第２の画像）１２１に対するマッチングを識別したが、認証情報１２２に基づいてデバイス１０４と関連情報１１３を共有することが許可されていないと決定した場合、デバイス１０４に提供されるアクセス指示１３１は、やはり否定応答であり得る。
【００３４】
[0041]別の例では、サーバ１０６が、本例ではＳＦＴ（第１の画像）１１５などのＳＦＴ（第２の画像）１２１に対するマッチングを識別し、デバイス１０４と関連情報１１３を共有し得ると決定した場合、デバイス１０４に提供されるアクセス指示１３１は肯定応答であり得る。さらに、サーバ１０６は、たとえば、登録情報１１２、認証情報１２２、および／または随意に他の要素の組合せに基づいて、デバイス１０４と関連情報１１３の一部が共有され得るか、全部が共有され得るか、それともいずれも共有され得ないかを決定することができる。したがって、サーバ１０６は、デバイス１０４に関連情報１３２を随意に提供することができる。
【００３５】
[0042]図２を参照すると、メッセージフロー２００の一態様は、（オプトイン参加者によって操作される）デバイス１０２、（信頼できるかどうかを決定するために認証され得る）デバイス１０４、ならびにデバイス１０２および／またはデバイス１０４と通信しているサーバ１０６の間で、信頼できる顔認識に基づいて画像に関連する情報へのアクセスを要求および提供することを支援する。オプトイン参加者は、たとえばデバイス１０２を使用して、サーバ１０６に関連するサービスに登録する。一態様では、デバイス１０２はワイヤレスデバイスであり得る。別の態様では、デバイス１０２は、ワイヤード接続またはワイヤレス接続を介してサーバ１０６に接続され得る、コンピュータ、ラップトップ、ネットブック、タブレット、スマートフォンなどのような任意のタイプの接続された電子デバイスであり得る。一例では、サーバ１０６に関連するサービスはソーシャルネットワークであり得る。
【００３６】
[0043]一態様では、登録は、登録パラメータと、オプトイン参加者に関連する特徴データを含む第１の画像（たとえば、オプトイン参加者の顔を含む画像）と、第１の画像に関する関連情報とを含み得る。登録は２１０に示すように、デバイス１０２によってサーバ１０６に提供され得る。登録パラメータは、デバイス１０４と、識別情報（たとえば、オプトイン参加者の身元）と他の情報とを含む関連情報の全部が共有され得るか、一部が共有され得るか、それともいずれも共有され得ないかを決定するようにサーバ１０６を構成するために使用され得る。登録パラメータはまた、要求側デバイスの認証、サーバ１０６に関連するサービスの性質（たとえば、サービス設定）、関連する法律もしくは規則、および／または外部要素（たとえば、日時）に応じて、第１の画像に関する関連情報の一部を共有するか、全部を共有するか、それともいずれも共有しないかを決定するようにサーバ１０６を構成することができる。
【００３７】
[0044]登録と、第１の画像と、第１の画像に関する関連情報とをデバイス１０２から受信すると、サーバ１０６は２１２に示すように、第１の画像から特徴データを抽出する。一態様では、抽出されたデータはパラメトリックデータであり得る。パラメトリックデータは、たとえば、幾何学的特徴データまたは光度統計データを含むことができる。一例では、パラメトリックデータは、主成分分析（ＰＣＡ）アルゴリズムによって決定された第１の画像内の選択された特徴のＥｉｇｅｎベクトルであり得る。別の例では、パラメトリックデータは、ローカルバイナリパターン（ＬＢＰ）ヒストグラムによって決定されたＬＢＰ特徴ベクトルであり得る。また別の例では、パラメトリックデータは、線形判別分析（ＬＤＡ）行列によって決定された第１の画像内の選択された特徴のＦｉｓｈｅｒベクトルであり得る。
【００３８】
[0045]２１４において、サーバ１０６は第１の画像についての特徴テンプレートを作成する。特徴テンプレートは被覆特徴テンプレート（ＳＦＴ）であり得る。第１の画像についてのＳＦＴは、ＳＦＴ（第１の画像）と呼ばれ得る。ＳＦＴは、たとえば、一方向ハッシュなどの被覆プロセスを使用して、第１の画像の特徴および／または２１２において抽出された特徴データに基づいて生成され得る。ＳＦＴ（第１の画像）は２１６に示すように、サーバ１０６によって登録および第１の画像に関する関連情報と相関付けられ、登録および第１の画像に関する関連情報とともに記憶される。
【００３９】
[0046]デバイス１０４は２２０に示すように、特徴データを含む画像を取得することができる。この画像は、第２の画像と呼ばれ得る。一態様では、デバイス１０４はワイヤレスデバイスであり得る。別の態様では、デバイス１０４は、ワイヤード接続またはワイヤレス接続を介してサーバ１０６に接続され得る、コンピュータ、ラップトップ、ネットブック、タブレット、スマートフォンなどのような任意のタイプの接続された電子デバイスであり得る。
【００４０】
[0047]２２２において、デバイス１０４は、第２の画像から特徴データを抽出し、２２４において、第２の画像についての特徴テンプレートを作成する。特徴テンプレートは被覆特徴テンプレート（ＳＦＴ）であり得る。第２の画像についてのＳＦＴは、ＳＦＴ（第２の画像）と呼ばれ得る。２１２および２１４に関して上述したように、抽出されたデータはパラメトリックデータであり得る。パラメトリックデータは、幾何学的特徴データまたは光度統計データを含むことができる。一例では、パラメトリックデータは、主成分分析（ＰＣＡ）アルゴリズムによって決定された第１の画像内の選択された特徴のＥｉｇｅｎベクトルであり得る。別の例では、パラメトリックデータは、ローカルバイナリパターン（ＬＢＰ）ヒストグラムによって決定されたＬＢＰ特徴ベクトルであり得る。また別の例では、パラメトリックデータは、線形判別分析（ＬＤＡ）行列によって決定された第１の画像内の選択された特徴のｆｉｓｈｅｒベクトルであり得る。ＳＦＴ（第１の画像）とＳＦＴ（第２の画像）との間の比較を可能にするために、２２２において抽出された特徴データおよび２２４において第２の画像について作成されたＳＦＴは、２１２において抽出された特徴データおよび２１６において第１の画像について作成されたＳＦＴと同様であり得る。
【００４１】
[0048]デバイス１０４は２２６においてＳＦＴ（第２の画像）をサーバ１０６に提供する。また２２６において、デバイス１０４は、要求に対する信頼を確立するための情報（たとえば、認証情報）をサーバ１０６に送る。デバイスに関する情報は、たとえば、サーバ１０６に関連するサービス（たとえば、ソーシャルネットワーク）についての認証要求（たとえば、ログイン情報）を含むことができる。要求側デバイスに関する情報はまた、たとえば、デバイスのユーザに関する情報、たとえば名前、連絡先詳細情報、およびソーシャルメディアプロフィールなどの識別情報、知人（たとえば、「友人」もしくは「縁故」）、所属（たとえば、地理的ロケーション、お気に入りのスポーツチーム、雇用主、学校）、ならびに／またはデバイスが（たとえば、法執行もしくはサーバ１０６に関連するサービスの従業員に関連する）特別な種類のデバイスに属しているかどうかを含み得る。
【００４２】
[0049]ＳＦＴ（第２の画像）と要求に対する信頼を確立するための情報（たとえば、認証情報）とをデバイス１０４から受信すると、サーバ１０６は２２８に示すように、サーバ１０６に記憶された被覆特徴テンプレート（ＳＦＴ）とＳＦＴ（第２の画像）を比較する。比較に基づいて、サーバ１０６は、たとえば、肯定応答または否定応答などのアクセス指示をデバイス１０４に送る。２１６に関して上述したように、ＳＦＴ（第１の画像）は、サーバ１０６に以前記憶されたので、ＳＦＴ（第２の画像）との比較に利用可能である。サーバ１０６が２３０ａに示すように、ＳＦＴ（第２の画像）とマッチングする記憶されたＳＦＴを識別することができない場合、サーバ１０６は２３２ａにおいて、デバイス１０４に否定応答を返信する。
【００４３】
[0050]サーバ１０６が２３０ｂに示すように、本例としてＳＦＴ（第１の画像）などのＳＦＴ（第２の画像）に対してマッチングするＳＦＴを識別した場合、サーバ１０６は、第１の画像に関する関連情報をデバイス１０４と共有することを承諾されているかどうかを決定する。上述のように、また一態様では、サーバ１０６は、２２６においてデバイス１０４によってサーバ１０６に提供された要求に対する信頼を確立するための情報（たとえば、認証情報）を、２１０においてデバイス１０２によってサーバ１０６に提供された登録パラメータと比較することによって、第１の画像に関する関連情報の一部を共有することを承諾されているか、全部を共有することを承諾されているか、それともいずれも共有することを承諾されていないかを決定することができる。たとえば、登録パラメータは、サーバ１０６がデバイス１０４と情報を共有するためには、デバイス１０４が特定の組織に属していなければならないと規定し得る。したがって、サーバ１０６は、デバイス１０４についての認証情報を、そのデバイスが特定の組織に属しているかどうかを決定するために調べることができる。別の例では、登録パラメータは、オプトイン参加者と（たとえば、共通の「友人」または「知人」を有する）同じ縁故「範囲」のうちの１つまたは複数の中にデバイス１０４が存在しなければならないと規定し得る。したがって、サーバ１０６は、オプトイン参加者と同じ縁故「範囲」のうちの１つまたは複数の中にデバイス１０４が存在するかどうかを決定するために、デバイス１０４の認証情報を調べることができる。別の態様では、サーバ１０６は、サーバ１０６に関連するサービスの設定と認証情報を比較することに基づいて、第１の画像に関する関連情報の一部を共有することを承諾されているか、全部を共有することを承諾されているか、それともいずれも共有することを承諾されていないかを決定することができる。たとえば、法執行デバイスが識別情報と取得された画像に関係する他の情報とをサーバ１０６から受信することを現地の法律または規則が許している場合、サーバ１０６は、認証情報に基づいて、デバイス１０４が法執行機関に関連付けられるかどうかを決定する。
【００４４】
[0051]別の態様では、デバイス１０２によって提供された登録パラメータは、第１の画像に関する関連情報のうちのどれだけがデバイス１０４と共有され得るかに関連する段階を定め得る。たとえば、登録パラメータは、デバイス１０４が特定の縁故「範囲」のメンバーである（たとえば、認証によって決定されるように、オプトイン参加者およびデバイス１０４のユーザが共通の知人を有する）場合に、第１の画像に関する関連情報の全部を共有し、デバイス１０４が特定の地理的ロケーションに属している（たとえば、認証によって決定されるように、オプトイン参加者およびデバイス１０４のユーザが同じ町に住んでいる）場合に、第１の画像に関する関連情報の一部を共有し、デバイス１０４が雇用主などの特定の組織に属している（たとえば、認証によって決定されるように、オプトイン参加者およびデバイス１０４のユーザが同じ雇用主を有する）場合に、第１の画像に関する関連情報のいずれも共有しないことを規定し得る。
【００４５】
[0052]２３０ｂにおいて、サーバ１０６が本例としてＳＦＴ（第１の画像）などのＳＦＴ（第２の画像）に対してマッチングするＳＦＴを識別したが、第１の画像に関する関連情報を共有することを承諾されていないと決定した場合、サーバ１０６は２３２ｂにおいて、デバイス１０４に否定応答を返信する。この例では、マッチングが見出されたが、マッチングに関する関連情報を受信するにあたっては信頼できなかったことをデバイス１０４は通知されないことがあり、むしろ、デバイス１０４は否定応答を受信するだけとなる。
【００４６】
[0053]２３０ｃにおいて、サーバ１０６が本例としてＳＦＴ（第１の画像）などのＳＦＴ（第２の画像）に対してマッチングするＳＦＴを識別し、第１の画像に関する関連情報を共有することを承諾されていると決定した場合、サーバ１０６は２３２ｃに示すように、デバイス１０４に肯定応答と関連情報とを返信する。
【００４７】
[0054]一態様では、サーバ１０６は２３４に示すように、デバイス１０４に関する情報をデバイス１０２に随意に提供することができる。たとえば、サーバ１０６は、登録パラメータ、サーバ１０６に関連するサービスの設定などを通して、デバイス１０２に対し、デバイスによってサーバ１０６に提供されたＳＦＴとＳＦＴ（第１の画像）との間のマッチングがＳＦＴ比較で生じたときに通知するように構成され得る。デバイス１０２に提供された情報は、たとえば、第１の画像へのマッチングが識別されたことの通知、第１の画像に関する関連情報が共有されたことの通知、および／または要求に関する情報を含み得る。
【００４８】
[0055]図３を参照すると、本明細書で説明するように、オプトイン参加者に関連付けられる（たとえば、オプトイン参加者によって操作される）ことがあり、サーバ１０６に接続されることがあるデバイス１０２の一態様が、サーバ１０６に関連するサービスにオプトイン参加者が登録することを可能にするように構成され得る。一態様では、デバイス１０２はワイヤレスデバイスであり得る。別の態様では、デバイス１０２は、ワイヤード接続またはワイヤレス接続を介してサーバ１０６に接続され得る、コンピュータ、ラップトップ、ネットブック、タブレット、スマートフォンなどのような任意のタイプの接続された電子デバイスであり得る。
【００４９】
[0056]デバイス１０２は画像構成要素３１０を含み、画像構成要素３１０は、デバイス１０２に関連する画像を受信し、記憶し、共有するように構成され得る。一例では、画像はデバイス１０２において、たとえば搭載カメラを使用して生成され得る。別の例では、画像はデバイス１０２に、たとえば、別のデバイス（たとえば、コンピュータ）へのワイヤード接続またはワイヤレス接続、（たとえば、電子メールメッセージからの）電子通信、（たとえば、ウェブサイトからの）ダウンロードなどを介してインポートされ得る。一態様では、オプトイン参加者は、画像構成要素３１０の画像のうちの少なくとも１つの被写体であり得る。たとえば、画像構成要素３１０の第１の画像は、オプトイン参加者に関連する特徴データ（たとえば、顔）を含むことができる。画像構成要素３１０は、登録構成要素３２０、関連情報構成要素２３０、および通信構成要素３５０と通信するように構成され得る。画像構成要素３１０はまた、随意の特徴テンプレート構成要素３４０と通信するように構成され得る。
【００５０】
[0057]デバイス１０２は登録構成要素３２０を含み、登録構成要素３２０は、サービスについての登録情報を受信し、記憶し、共有するように構成され得る。一態様では、サービスはサーバ１０６に関連付けられ得る。一例では、サービスはソーシャルネットワークであり得る。一例では、オプトイン参加者は、登録情報をデバイス１０２のユーザインターフェースを介して登録構成要素３２０に直接提供することによって、サービスに登録することができる。そのようなユーザインターフェースは、たとえば、限定はしないが、キーボード、ナンバーパッド、マウス、タッチセンシティブディスプレイ、ナビゲーションキー、ファンクションキー、マイクロフォン、音声認識構成要素、ユーザから入力を受信することが可能な任意の他の機構、またはそれらの任意の組合せを含む、１つまたは複数の入力デバイスを含み得る。別の例では、登録情報は、たとえば、オプトイン参加者がすでにアカウントを有する別のサービス（たとえば、ソーシャルネットワークまたは他のインターネットアカウント）からそのような情報をインポートすることによって、登録構成要素３２０に間接的に提供され得る。登録構成要素３２０は、画像構成要素３１０、関連情報構成要素３３０、および通信構成要素３５０と通信するように構成され得る。
【００５１】
[0058]デバイス１０２は関連情報構成要素３３０を含み、関連情報構成要素３３０は、サービスへの登録および１つまたは複数の画像に関連する情報を受信し、記憶し、共有するように構成され得る。一例では、オプトイン参加者は、画像に関連付けられることを希望する情報を（たとえば、サービスへの登録の一部として）提供することができる。別の例では、オプトイン参加者は、画像に関連付けられることを希望する情報を共有することに関連するパラメータを（たとえば、サービスへの登録の一部として）提供することができる。関連情報構成要素３３０は、画像構成要素３１０、登録構成要素３２０、および通信構成要素３５０と通信するように構成され得る。
【００５２】
[0059]一態様では、登録は、登録パラメータと、オプトイン参加者に関連する特徴データを含む第１の画像（たとえば、オプトイン参加者の顔の顔を含む画像）と、第１の画像に関する関連情報とを含み得る。登録パラメータは、デバイス（たとえば、デバイス１０４）と、識別情報（たとえば、オプトイン参加者の身元）と他の情報とを含む関連情報の全部が共有され得るか、一部が共有され得るか、それともいずれも共有され得ないかを決定するように、サーバ１０６に関連するサービスなどのサービスを構成するために使用され得る。登録パラメータはまた、デバイス１０４の認証、サーバ１０６に関連するサービスの性質（たとえば、サービス設定）、関連する法律もしくは規則、および／または外部要素（たとえば、日時）に応じて、第１の画像に関する関連情報の一部を共有するか、全部を共有するか、それともいずれも共有しないかを決定するようにサーバ１０６を構成することができる。
【００５３】
[0060]登録構成要素３２０はさらに、パラメータと、第１の画像と、関連情報とを受信するように構成され得る。登録構成要素３２０は、パラメータを直接的または間接的にオプトイン参加者からデバイス１０２のユーザインターフェース（図示せず）を介して、および／または（たとえば、登録情報が別のデバイスからインポートされた場合に）通信構成要素３５０から受信するように構成され得る。登録構成要素３２０は、第１の画像を（たとえば、デバイス１０２内にすでに記憶されている画像をオプトイン参加者が選択した場合に）画像構成要素３１０および／または（たとえば、画像が最初に画像構成要素２１０に記憶されることなく外部ソースから受信されている場合に）通信構成要素３５０から受信するように構成され得る。登録構成要素３２０は、関連情報を（たとえば、登録および第１の画像に関連付けられることをオプトイン参加者が選択した情報、たとえば、オプトイン参加者の名前の名前、連絡先情報などがすでにデバイス１０２に記憶されている場合に）関連情報構成要素３３０および／または（たとえば、別のサービスまたはロケーションから関連情報がインポートされている場合に）通信構成要素３５０から受信するように構成され得る。
【００５４】
[0061]登録構成要素３２０はまた、互いにパラメータ、第１の画像、および関連情報の間の相関を記憶するように構成され得る。一例では、相関は、デバイス１０２内での、登録の関連する態様が記憶されており、アクセスされることがある、画像構成要素３１０、関連情報構成要素３３０、および登録構成要素３２０の中のロケーションのリストであり得る。登録構成要素３２０はまた、登録パラメータを記憶するように構成され得る。一態様では、登録構成要素３２０は、通信構成要素３５０を介してサーバ１０６に第１の画像および関連情報とともに登録情報を提供するように構成され得る。
【００５５】
[0062]デバイス１０２は随意に、特徴テンプレート構成要素３４０を含むことができる。特徴テンプレート構成要素３４０は、画像構成要素３１０および通信構成要素３５０と通信するように構成され得る。一態様では、特徴テンプレート構成要素２４０は、（たとえば、登録構成要素３２０によって）登録および関連情報と相関付けられているものとして識別された第１の画像を受信するように構成され得る。特徴テンプレート構成要素３４０は、第１の画像から特徴データを抽出するように構成され得る。一態様では、抽出されたデータはパラメトリックデータであり得る。パラメトリックデータは、たとえば、幾何学的特徴データまたは光度統計データを含むことができる。一例では、パラメトリックデータは、主成分分析（ＰＣＡ）アルゴリズムによって決定された第１の画像内の選択された特徴のＥｉｇｅｎベクトルであり得る。別の例では、パラメトリックデータは、ローカルバイナリパターン（ＬＢＰ）ヒストグラムによって決定されたＬＢＰ特徴ベクトルであり得る。また別の例では、パラメトリックデータは、線形判別分析（ＬＤＡ）行列によって決定された第１の画像内の選択された特徴のＦｉｓｈｅｒベクトルであり得る。
【００５６】
[0063]一態様では、特徴テンプレート構成要素３４０はまた、第１の画像についての特徴テンプレートを作成するように構成され得る。特徴テンプレートは被覆特徴テンプレート（ＳＦＴ）であり得る。第１の画像についてのＳＦＴは、ＳＦＴ（第１の画像）と呼ばれ得る。ＳＦＴは、たとえば、一方向ハッシュなどの被覆プロセスを使用して、第１の画像の特徴および／または以前抽出された特徴データに基づいて生成され得る。ＳＦＴ（第１の画像）は、第１の画像自体の追加または代替として、登録および第１の画像に関する関連情報と相関付けられ、登録および第１の画像に関する関連情報とともに記憶され得る。したがって、また本態様では、デバイス１０２は登録構成要素３２０を介して、第１の画像を提供するのではなく、通信構成要素３５０を介してサーバ１０６に登録と、関連情報と、ＳＦＴ（第１の画像）とを提供するように構成され得る。
【００５７】
[0064]デバイス１０２が特徴テンプレート構成要素３４０を含まない態様では、サーバ１０６は、本明細書で説明するように第１の画像についての特徴テンプレートを作成するように構成され得る。
【００５８】
[0065]一態様では、通信構成要素３５０は随意に、たとえば図１のデバイス１０４などのデバイスに関する情報をサーバ１０６から受信するように構成され得る。たとえば、サーバ１０６は、登録パラメータ、サーバ１０６に関連するサービスの設定などを通して、デバイス１０２に対し、ＳＦＴとＳＦＴ（第１の画像）との間のマッチングがＳＦＴ比較で生じたときに通知するように構成され得る。デバイス１０２に提供された情報は、たとえば、第１の画像へのマッチングが識別されたことの通知、第１の画像に関する関連情報が共有されたことの通知、および／またはデバイス１０４に関する情報を含み得る。一態様では、デバイス１０２は、本明細書で説明するようにユーザインターフェースを介してデバイス１０２のユーザ（たとえば、オプトイン参加者）にこの情報を提供するように構成され得る。
【００５９】
[0066]図４を参照すると、デバイス１０４の一態様がサーバ１０６に接続されている。一態様では、デバイス１０４はワイヤレスデバイスであり得る。別の態様では、デバイス１０４は、ワイヤード接続またはワイヤレス接続を介してサーバ１０６に接続され得る、コンピュータ、ラップトップ、ネットブック、タブレット、スマートフォンなどのような任意のタイプの接続された電子デバイスであり得る。デバイス１０４は、特徴データを含む画像を取得するように構成され得る。この画像は、第２の画像と呼ばれ得る。
【００６０】
[0067]デバイス１０４は画像構成要素４１０を含み、画像構成要素４１０は、デバイス１０４に関連する画像を受信し、記憶し、共有するように構成され得る。一例では、画像はデバイス１０４において、たとえば搭載カメラを使用して生成され得る。別の例では、画像はデバイス１０４に、たとえば、別のデバイス（たとえば、コンピュータ）へのワイヤード接続またはワイヤレス接続、（たとえば、電子メールメッセージからの）電子通信、（たとえば、ウェブサイトからの）ダウンロードなどを介してインポートされ得る。一態様では、オプトイン参加者は、画像構成要素４１０の画像のうちの少なくとも１つの被写体であり得る。たとえば、画像構成要素４１０の画像は、オプトイン参加者に関連する特徴データ（たとえば、オプトイン参加者の顔）を含むことができる。画像構成要素４１０は、関連情報要求構成要素４２０および特徴テンプレート構成要素３４０と通信するように構成され得る。画像構成要素４１０はまた、通信構成要素４５０と通信するように構成され得る。
【００６１】
[0068]デバイス１０４は関連情報要求構成要素４２０を含み、関連情報要求構成要素４２０は、デバイス１０４から関連情報要求を受信するように構成され得る。関連情報要求は、ユーザインターフェースを介して関連情報要求構成要素４２０によって受信され得る。そのようなユーザインターフェースは、たとえば、限定はしないが、キーボード、ナンバーパッド、マウス、タッチセンシティブディスプレイ、ナビゲーションキー、ファンクションキー、マイクロフォン、音声認識構成要素、ユーザから入力を受信することが可能な任意の他の機構、またはそれらの任意の組合せを含む、１つまたは複数の入力デバイスを含み得る。関連情報要求構成要素４２０は、たとえば、本明細書で説明する第２の画像などの画像を受信し、デバイス１０４からの関連情報についての要求と第２の画像を相関付けるために、画像構成要素４１０と通信するように構成され得る。ただし、要求がサーバ１０６に送信される前に、第２の画像が最初に覆われることがある。
【００６２】
[0069]デバイス１０４は認証情報構成要素４３０を含み、認証情報構成要素４３０は、デバイス１０４についての識別情報を受信し、記憶し、共有するように構成され得る。一態様では、そのような情報は、たとえば、デバイス１０４に関連する固有の認証情報、デバイス１０４上で実行されるソフトウェアに関連する固有の認証情報、デバイス１０４の（現在の）ロケーション、デバイス１０４についてのワイヤレス通信ネットワーク加入情報などを含み得る。別の態様では、そのような認証情報は、たとえば、デバイス１０４のユーザに関する情報を含み得る。たとえば、識別詳細情報は、サーバ１０６に関連するサービス（たとえば、ソーシャルネットワーキングサービス）についてのログイン資格証明を含み得る。別の例では、認証情報は、デバイス１０４と別のサービス（たとえば、異なるソーシャルネットワークまたは別のインターネットアカウント）との間の関連性、またはたとえば、名前および／もしくは連絡先情報などのような、デバイス１０４のユーザに関する情報を示し得る。認証情報構成要素４３０は、関連情報についての要求が認証情報を含み得る態様では、関連情報要求構成要素にそのような認証情報を提供するために関連情報要求構成要素４２０と通信するように構成され得る。
【００６３】
[0070]デバイス１０４は特徴テンプレート構成要素４４０を含み、特徴テンプレート構成要素４４０は、画像構成要素４１０と通信し、第２の画像を受信するように構成され得る。特徴テンプレート構成要素４４０は、第２の画像から特徴データを抽出し、第２の画像についての特徴テンプレートを作成するように構成され得る。特徴テンプレートは被覆特徴テンプレート（ＳＦＴ）であり得る。第２の画像についてのＳＦＴは、ＳＦＴ（第２の画像）と呼ばれ得る。本明細書で説明するように、抽出されたデータはパラメトリックデータであり得る。パラメトリックデータは、幾何学的特徴データまたは光度統計データを含むことができる。一例では、パラメトリックデータは、主成分分析（ＰＣＡ）アルゴリズムによって決定された第１の画像内の選択された特徴のＥｉｇｅｎベクトルであり得る。別の例では、パラメトリックデータは、ローカルバイナリパターン（ＬＢＰ）ヒストグラムによって決定されたＬＢＰ特徴ベクトルであり得る。また別の例では、パラメトリックデータは、線形判別分析（ＬＤＡ）行列によって決定された第１の画像内の選択された特徴のｆｉｓｈｅｒベクトルであり得る。ＳＦＴ（第１の画像）とＳＦＴ（第２の画像）との間の比較を可能にするために、特徴テンプレート構成要素３４０によって抽出された特徴データおよび第２の画像について作成されたＳＦＴは、デバイス１０２の特徴テンプレート構成要素３４０および／またはサーバ１０６の特徴テンプレート構成要素５３０によって第１の画像について、抽出された特徴データおよび作成されたＳＦＴと同様であり得る。特徴テンプレート構成要素４４０は、サーバ１０６への関連情報についての要求の一部として含まれるように、ＳＦＴ（第２の画像）を関連情報要求構成要素４２０に提供するように構成され得る。
【００６４】
[0071]関連情報要求構成要素４２０はさらに、関連情報についての要求と相関する第２の画像についての特徴テンプレート（たとえば、ＳＦＴ（第２の画像））を受信するために、特徴テンプレート構成要素４４０と通信するように構成され得る。関連情報要求構成要素４２０は、通信構成要素４５０を介してサーバ１０６に関連情報要求を提供するように構成され得る。一態様では、関連情報についての要求は、ＳＦＴ（第２の画像）を含み得る。
【００６５】
[0072]一態様では、関連情報要求構成要素４２０は、デバイス１０４および／またはデバイス１０４のユーザに関連する識別情報を受信するために，認証情報構成要素４３０と通信するように構成され得る。一例では、認証情報は、サービス（たとえば、サーバ１０６に関連するサービス）についての資格証明を含み得る。このシナリオでは、また一態様では、関連情報要求構成要素４２０によって通信構成要素４５０を介してサーバ１０６に提供された関連情報についての要求は、認証情報を含み得る。
【００６６】
[0073]デバイス１０４は通信構成要素４５０を含み、通信構成要素４５０は、関連情報についての要求を関連情報要求構成要素４２０から受信し、要求をサーバ１０６に提供するように構成され得る。一態様では、通信構成要素４５０はまた、サーバ１０６から情報を受信するように構成され得る。たとえば、通信構成要素４５０は、関連情報についての要求に応答して、たとえば、肯定応答または否定応答などのアクセス指示を受信するように構成され得る。通信構成要素４５０はまた、関連情報についての要求の一部としてサーバ１０６に送られたＳＦＴ（第２の画像）に対するマッチングである画像に関する関連情報の一部を受信するか、全部を受信するか、またはいずれも受信しないように構成され得る。一態様では、デバイス１０４は、本明細書で説明するようにユーザインターフェースを介してデバイス１０４に応答と任意の関連情報とを提供するように構成され得る。
【００６７】
[0074]図５を参照すると、サーバ１０６の一態様は、たとえば、ソーシャルネットワークなどのサービスに関連付けられ、デバイス１０２およびデバイス１０４に接続される。
【００６８】
[0075]サーバ１０６は登録構成要素５１０を含み、登録構成要素５１０は、通信構成要素５５０を介してオプトイン参加者によって操作されるデバイス１０２から、サーバ１０６に関連するサービスへの登録を受信するように構成され得る。本明細書で説明するように、また一態様では、登録は、登録パラメータと、オプトイン参加者に関連する特徴データを含む第１の画像（たとえば、オプトイン参加者の顔を含む画像）と、第１の画像に関する関連情報とを含み得る。別の態様では、やはり本明細書で説明するように、登録は、登録パラメータと、第１の画像についての特徴テンプレート（たとえば、ＳＦＴ（第１の画像））と、ＳＦＴ（第１の画像）に関する関連情報とを含み得る。
【００６９】
[0076]登録パラメータは、デバイス１０４と、ＳＦＴ比較構成要素５４０を介して、識別情報（たとえば、オプトイン参加者の身元）と他の情報とを含む関連情報の全部が共有され得るか、一部が共有され得るか、それともいずれも共有され得ないかを決定するように、サーバ１０６を構成するために使用され得る。登録パラメータはまた、デバイス１０４の性質、サーバ１０６に関連するサービスの性質（たとえば、サービス設定）、関連する法律もしくは規則、および／または外部要素（たとえば、日時）に応じて、第１の画像に関する関連情報の一部を共有するか、全部を共有するか、それともいずれも共有しないかを決定するようにサーバ１０６を構成することができる。一態様では、登録構成要素５１０は、特徴テンプレート構成要素５３０に第１の画像を提供するように構成され得る。
【００７０】
[0077]サーバ１０６は特徴テンプレート構成要素５３０を含み、特徴テンプレート構成要素５３０は、第１の画像から特徴データを抽出するように構成され得る。一態様では、抽出されたデータはパラメトリックデータであり得る。パラメトリックデータは、たとえば、幾何学的特徴データまたは光度統計データを含むことができる。一例では、パラメトリックデータは、主成分分析（ＰＣＡ）アルゴリズムによって決定された第１の画像内の選択された特徴のＥｉｇｅｎベクトルであり得る。別の例では、パラメトリックデータは、ローカルバイナリパターン（ＬＢＰ）ヒストグラムによって決定されたＬＢＰ特徴ベクトルであり得る。また別の例では、パラメトリックデータは、線形判別分析（ＬＤＡ）行列によって決定された第１の画像内の選択された特徴のＦｉｓｈｅｒベクトルであり得る。
【００７１】
[0078]特徴テンプレート構成要素５３０はまた、第１の画像についての特徴テンプレートを作成するように構成され得る。特徴テンプレートは被覆特徴テンプレート（ＳＦＴ）であり得る。第１の画像についてのＳＦＴは、ＳＦＴ（第１の画像）と呼ばれ得る。ＳＦＴは、たとえば、一方向ハッシュなどの被覆プロセスを使用して、第１の画像の特徴および／または抽出された特徴データに基づいて生成され得る。一態様では、特徴テンプレート構成要素５３０は、追加処理のために登録構成要素５１０にＳＦＴ（第１の画像）を提供するように構成され得る。別の態様（図示せず）では、特徴テンプレート構成要素５３０は、ＳＦＴ（第１の画像）をメモリ５２０内のＳＦＴデータストア５２２に直接提供するように構成され得る。
【００７２】
[0079]登録構成要素５１０は、受信された登録パラメータと、第１の画像および／またはＳＦＴ（第１の画像）と、関連情報とをメモリ５２０に通信するように構成され得る。より詳細には、また一態様では、登録構成要素５１０は、登録パラメータと、第１の画像および／またはＳＦＴ（第１の画像）と、関連情報とを相関付け、相関を記憶のために登録データストア５２４に提供するように構成され得る。登録データストア５２４は、そのような相関を受信し、記憶し、共有するように構成され得る。一態様では、登録データストア５２４は、相関するＳＦＴおよび関連情報についてのロケーションに関連して登録パラメータを記憶することができる。
【００７３】
[0080]一態様では、登録構成要素５１０は、ＳＦＴデータストア５２２にＳＦＴ（第１の画像）を提供するように構成され得る。ＳＦＴデータストア５２２は、特徴テンプレートを受信し、記憶し、共有するように構成され得る。一態様では、ＳＦＴデータストア５２２は、記憶された特徴テンプレートをＳＦＴ比較構成要素５４０と共有するように構成され得る。
【００７４】
一態様では、登録構成要素５１０は、関連情報データストア５２６に関連情報を提供するように構成され得る。
【００７５】
サーバ１０６は関連情報データストア５２６を含み、関連情報データストア５２６は、関連情報を受信し、記憶し、共有するように構成され得る。一態様では、関連情報データストア５２６は、関連情報をＳＦＴ比較構成要素５４０と共有するように構成され得る。
【００７６】
[0081]サーバ１０６は通信構成要素５５０を含み、通信構成要素５５０は、画像についての特徴テンプレート（たとえば、ＳＦＴ（第２の画像））と、一態様では要求に対する信頼を確立するための情報（たとえば、認証情報）とを含み得る、関連情報についての要求をデバイス１０４から受信するように構成され得る。通信構成要素５５０は、ＳＦＴ（第２の画像）と、一態様では認証情報とをＳＦＴ比較構成要素５４０に提供するように構成され得る。デバイス１０４からの認証情報はまた、たとえば、サーバ１０６に関連するサービス（たとえば、ソーシャルネットワーク）についてのログイン情報を含み得る。別の例では、デバイス１０４についての認証情報は、たとえば、デバイス１０４のユーザに関する情報、たとえば、識別情報、（たとえば、名前、連絡先詳細情報、およびソーシャルメディアプロフィール）、知人（たとえば、「友人」もしくは「縁故」）、所属（たとえば、地理的ロケーション、お気に入りのスポーツチーム、雇用主、学校）、ならびに／またはデバイス１０４が（たとえば、法執行もしくはサーバ１０６に関連するサービスに関連する）特別な種類のデバイスに属しているかどうかを含み得る。
【００７７】
[0082]サーバ１０６はＳＦＴ比較構成要素５４０を含み、ＳＦＴ比較構成要素５４０は、特徴テンプレートを比較するように構成され得る。一例では、ＳＦＴ比較構成要素５４０は、デバイス１０４から受信されたＳＦＴ（第２の画像）を、サーバ１０６においてＳＦＴデータストア５２２に以前記憶された被覆特徴テンプレート（ＳＦＴ）と比較することができる。比較に基づいて、ＳＦＴ比較構成要素５４０は、たとえば、肯定応答または否定応答などのアクセス指示を生成することができる。ＳＦＴ比較構成要素５４０は、通信構成要素５５０を介してデバイス１０４にアクセス指示を通信することができる。
【００７８】
[0083]ＳＦＴ比較構成要素５４０は、ＳＦＴ（第２の画像）とマッチングする記憶されたＳＦＴを識別することができない場合に、否定応答を生成するように構成され得る。
【００７９】
[0084]ＳＦＴ比較構成要素５４０が、本例として、ＳＦＴデータストア５２２に以前記憶されたＳＦＴ（第１の画像）などの、ＳＦＴ（第２の画像）に対してマッチングするＳＦＴを識別した場合、ＳＦＴ比較構成要素は、第１の画像に関する関連情報をデバイス１０４と共有することを承諾されているかどうかを決定することができる。ＳＦＴ比較構成要素５４０は、ＳＦＴ（第２の画像）に対するマッチングが識別されたときに、関連情報を共有することを承諾されているかどうかを決定するための情報を要求するために、登録データストア５２４と通信するように構成され得る。一態様では、ＳＦＴ比較構成要素５４０は、パラメータ、サービス設定、ならびに／または関連する法律および／もしくは規則に関する情報を登録データストア５２４から受信し、それに基づいて、またデバイス１０４についての要求に対する信頼を確立するための情報（たとえば、認証情報）に基づいて比較を実行することができる。別の態様では、ＳＦＴ比較構成要素５４０は、マッチングする画像に関する関連情報の一部を共有できる、全部を共有できる、またはいずれも共有できないという指示を登録データストア５２４から受信するだけであり得る。したがって、登録データストア５２４または別の構成要素は、決定を下すように構成され得る。
【００８０】
[0085]たとえば、登録パラメータは、サーバ１０６がデバイス１０４と情報を共有するためには、認証によって決定されるように、デバイス１０４が特定の組織に属していなければならないと規定し得る。したがって、サーバ１０６は、ＳＦＴ比較構成要素５４０を介して、デバイス１０４が特定の組織に属しているかどうかを決定するために認証情報を調べることができる。別の例では、登録パラメータは、オプトイン参加者と（たとえば、共通の「友人」または「知人を有する）同じ縁故「範囲」のうちの１つまたは複数の中にデバイス１０４のユーザが存在しなければならないと規定し得る。したがって、サーバ１０６は、オプトイン参加者と同じ縁故「範囲」のうちの１つまたは複数の中にデバイス１０４が存在するかどうかを決定するために、認証によって決定されるように、デバイス１０４に関する情報を調べることができる。別の態様では、サーバ１０６は、サーバ１０６に関連するサービスの設定と、デバイス１０４からサーバ１０６に提供された認証情報を比較することに基づいて、第１の画像に関する関連情報の一部を共有することを承諾されているか、全部を共有することを承諾されているか、それともいずれも共有することを承諾されていないかを決定することができる。たとえば、法執行に関連するデバイスが識別情報と取得された画像に関係する他の情報とをサーバ１０６から受信することを現地の法律または規則が許している場合、サーバ１０６は、認証に基づいて、デバイス１０４が法執行機関に関連付けられるかどうかを決定する。
【００８１】
[0086]別の態様では、デバイス１０２によって提供された登録パラメータは、第１の画像に関する関連情報のうちのどれだけをデバイス１０４と共有するかに関連する段階を定め得る。たとえば、登録パラメータは、デバイス１０４が特定の縁故「範囲」のメンバーである（たとえば、認証によって決定されるように、オプトイン参加者およびデバイス１０４のユーザが共通の知人を有する）場合に、第１の画像に関する関連情報の全部を共有し、デバイス１０４が特定の地理的ロケーションに属している（たとえば、認証によって決定されるように、オプトイン参加者およびデバイス１０４のユーザが同じ町に住んでいる）場合に、第１の画像に関する関連情報の一部を共有し、デバイス１０４が雇用主などの特定の組織に属している（たとえば、認証によって決定されるように、オプトイン参加者およびデバイス１０４のユーザが同じ雇用主を有する）場合に、第１の画像に関する関連情報のいずれも共有しないことを規定し得る。
【００８２】
[0087]ＳＦＴ比較構成要素５４０が本例としてＳＦＴ（第１の画像）などのＳＦＴ（第２の画像）に対してマッチングするＳＦＴを識別したが、第１の画像に関する関連情報を共有することを承諾されていないと決定した場合、ＳＦＴ比較構成要素５４０は否定応答を生成することができる。
【００８３】
[0088]ＳＦＴ比較構成要素５４０が本例としてＳＦＴ（第１の画像）などのＳＦＴ（第２の画像）に対してマッチングするＳＦＴを識別し、第１の画像に関する関連情報を共有することを承諾されていると決定した場合、ＳＦＴ比較構成要素５４０は肯定応答を生成することができる。ＳＦＴ比較構成要素５４０はまた、通信構成要素５５０を介してデバイス１０４に通信するための該当する関連情報を取り出すために、関連情報データストア５２６と通信するように構成され得る。
【００８４】
[0089]ＳＦＴ比較構成要素５４０は、それの応答（たとえば、肯定または否定）と任意の関連情報（たとえば、一部、全部、またはなし）とを通信構成要素５５０に通信するように構成され得る。通信構成要素５５０は、応答と関連情報（ある場合）とをデバイス１０４に送るように構成され得る。
【００８５】
[0090]一態様では、サーバ１０６は随意に、デバイス１０２に関する情報を提供するように構成され得る。たとえば、サーバ１０６は、登録パラメータ、サーバ１０６に関連するサービスの設定などを通して、デバイス１０２に対し、ＳＦＴとＳＦＴ（第１の画像）との間のマッチングがＳＦＴ比較で生じたときに通知するように構成され得る。デバイス１０２に提供された情報は、たとえば、第１の画像へのマッチングが識別されたことの通知、第１の画像に関する関連情報が共有されたことの通知、および／またはデバイス１０４に関する情報を含み得る。
【００８６】
[0091]図６を参照すると、画像に関連する情報へのアクセスをデバイス１０４によって要求するための方法６００が示されている。
【００８７】
[0092]６１０において、方法６００は、画像から特徴データを抽出することを含み得る。たとえば、デバイス１０４の特徴テンプレート構成要素４４０は、画像（たとえば、第２の画像）から特徴データを抽出することができる。第２の画像は、本明細書で説明するように、デバイス１０４において（たとえば、搭載カメラを使用して）生成されていること、またはデバイス１０４にインポートされている（たとえば、コンピュータからアップロードされている、電子メールもしくはウェブサイトからダウンロードされている）ことがある。
【００８８】
[0093]一態様では、特徴データはパラメトリックデータであり得る。パラメトリックデータは、たとえば、幾何学的特徴データまたは光度統計データを含むことができる。一例では、パラメトリックデータは、主成分分析（ＰＣＡ）アルゴリズムによって決定された第１の画像内の選択された特徴のＥｉｇｅｎベクトルであり得る。別の例では、パラメトリックデータは、ローカルバイナリパターン（ＬＢＰ）ヒストグラムによって決定されたＬＢＰ特徴ベクトルであり得る。また別の例では、パラメトリックデータは、線形判別分析（ＬＤＡ）行列によって決定された第１の画像内の選択された特徴のＦｉｓｈｅｒベクトルであり得る。
【００８９】
[0094]６２０において、方法６００は、抽出された特徴データに基づいて画像についての特徴テンプレートを作成することを含み得る。たとえば、特徴テンプレート構成要素４４０は、抽出された特徴データに基づいて画像（たとえば、第２の画像）についての特徴テンプレートを作成することができる。一態様では、特徴テンプレートは被覆特徴テンプレート（ＳＦＴ）であり得る。第１の画像についてのＳＦＴは、ＳＦＴ（第２の画像）と呼ばれ得る。ＳＦＴは、たとえば、一方向ハッシュなどの被覆プロセスを使用して抽出された、第２の画像の特徴および／または抽出された特徴データに基づいて生成され得る。一態様では、ＳＦＴ（第１の画像）とＳＦＴ（第２の画像）との間の比較を可能にするために、抽出された特徴データおよび第２の画像について作成されたＳＦＴは、抽出された特徴データおよびオプトイン参加者によって提供された第１の画像について作成されたＳＦＴと同様であり得る。
【００９０】
[0095]６３０において、方法６００は、サーバに特徴テンプレートを提供することを含み得る。たとえば、特徴テンプレート構成要素４４０は、サーバ１０６の通信構成要素５５０を介してサーバ１０６に、第２の画像についての特徴テンプレート（たとえば、ＳＦＴ（第２の画像））を提供することができる。一態様では、本明細書で説明するように、第２の画像に関する関連情報についての要求に関連して、サーバ１０６にＳＦＴ（第２の画像）が提供され得る。
【００９１】
[0096]６４０において、方法６００は随意に、デバイスに関連する認証情報をサーバに提供することを含み得る。たとえば、デバイス１０４の関連情報要求構成要素４２０は、デバイス１０４の認証情報構成要素４３０から認証情報を受信し、関連情報要求の一部として、通信構成要素４５０を介してサーバ１０６に認証情報を提供するように構成され得る。認証情報は、デバイス１０４に関する情報を含み得る。
【００９２】
[0097]６５０において、方法６００は、画像に関する関連情報についてのアクセス指示をサーバから受信することを含み得る。たとえば、デバイス１０４は、通信構成要素４５０を介してサーバ１０６から肯定応答または否定応答などのアクセス指示を受信することができる。一態様では、アクセス指示は肯定応答または否定応答であり得る。アクセス指示が肯定応答である場合、サーバ１０６は、デバイス１０４にマッチングに関する関連情報の一部を提供すること、全部を提供すること、またはいずれも提供しないこともある。
【００９３】
[0098]一態様では、アクセス指示および関連情報（ある場合）が、マッチングするＳＦＴを有する画像の被写体であるオプトイン参加者の登録、サーバ１０６に関連するサービスの設定、関連する法律および／または規則、ならびに認証情報において提供されたデバイス１０４に関する情報に基づいて、デバイス１０４に提供され得る。
【００９４】
[0099]方法６００を一連の行為として図示し説明するが、いくつかの行為は、１つまたは複数の態様によれば、本明細書で図示し説明する順序とは異なる順序で、および／または他の行為と同時に行われるので、方法は行為の順序によって限定されないことを理解し、諒解されたい。たとえば、方法は、状態図など、一連の相互に関係する状態またはイベントとして代替的に表現され得ることを諒解されたい。さらに、１つまたは複数の態様による方法を実施するために、図示のすべての行為が必要とされるとは限らない。
【００９５】
[00100]図７を参照すると、画像に関連する情報へのアクセスをサーバ１０６によって提供するための方法７００が示されている。
【００９６】
[00101]７１０において、方法７００は、第１の画像情報と、登録と、第１の画像に関する関連情報とを第１のデバイスから受信することを含み得る。たとえば、デバイス１０２は、デバイス１０２の通信構成要素３５０を介してサーバ１０６の登録構成要素５１０に、第１の画像情報と、登録と、関連情報とを提供し得る。一態様では、第１の画像情報は、特徴データ（たとえば、顔）を含み得る第１の画像であり得る。別の態様では、第１の画像情報は、第１の画像の代替または追加としてデバイス１０２によってサーバ１０６に送られ得る、第１の電子メールについての特徴テンプレート（たとえば、ＳＦＴ（第１の画像）であり得る。一態様では、第１の画像情報は、オプトイン参加者などの第１のデバイス（たとえば、デバイス１０２）のユーザに関連する特徴データ（たとえば、顔）を含むこと、またはそのような特徴データであることがある。
【００９７】
[00102]７２０において、方法７００は随意に、第１の画像から特徴データを抽出することを含み得る。たとえば、サーバ１０６の特徴テンプレート構成要素５３０は、第１の画像情報が第１の画像である場合に、第１の画像から特徴データを抽出することができる。第１の画像情報が第１の特徴テンプレートである場合、方法７００は７１０から７４０に進むことができる。一態様では、抽出されたデータはパラメトリックデータであり得る。パラメトリックデータは、たとえば、幾何学的特徴データまたは光度統計データを含むことができる。一例では、パラメトリックデータは、主成分分析（ＰＣＡ）アルゴリズムによって決定された第１の画像内の選択された特徴のＥｉｇｅｎベクトルであり得る。別の例では、パラメトリックデータは、ローカルバイナリパターン（ＬＢＰ）ヒストグラムによって決定されたＬＢＰ特徴ベクトルであり得る。また別の例では、パラメトリックデータは、線形判別分析（ＬＤＡ）行列によって決定された第１の画像内の選択された特徴のＦｉｓｈｅｒベクトルであり得る。
【００９８】
[00103]７３０において、方法７００は随意に、抽出された特徴データに基づいて第１の画像についての特徴テンプレートを作成することを含み得る。たとえば、特徴テンプレート構成要素５３０は、第１の画像情報が第１の画像である場合に、抽出された特徴データに基づいて第１の画像についての特徴テンプレートを作成することができる。第１の画像情報が第１の特徴テンプレートである場合、方法７００は７１０から７４０に進むことができる。特徴テンプレートは被覆特徴テンプレート（ＳＦＴ）であり得る。第１の画像についてのＳＦＴは、ＳＦＴ（第１の画像）と呼ばれ得る。ＳＦＴは、たとえば、一方向ハッシュなどの被覆プロセスを使用して、第１の画像の特徴および／または抽出された特徴データに基づいて生成され得る。
【００９９】
[00104]７４０において、方法７００は、第１の画像についての特徴テンプレートと、登録と、第１の画像に関する関連情報とを記憶し相関付けることを含み得る。一態様では、第１の画像についての特徴テンプレートは、サーバ１０６によってデバイス１０２から受信された第１の画像情報であり得る。別の態様では、第１の画像についての特徴テンプレートは、方法７００の７２０および７３０において生成された第１の特徴テンプレートであり得る。たとえば、登録構成要素５１０は、特徴テンプレート構成要素５３０からＳＦＴ（第１の画像）を受信し、ＳＦＴ（第１の画像）を登録および関連情報と相関付けることができる。登録構成要素５１０は、相関を登録データストア５２４に、ＳＦＴ（第１の画像）をＳＦＴデータストア５２２に、関連情報を関連情報データストア５２６に提供することができ、これらのデータストアはすべてサーバ１０６に属する。
【０１００】
[00105]７５０において、方法７００は、第２の画像についての特徴テンプレートを第２のデバイスから受信することを含み得る。たとえば、サーバ１０６は通信構成要素５５０を介して、デバイス１０４からＳＦＴ（第２の画像）を受信することができる。ＳＦＴ（第２の画像）は、通信構成要素５５０によってサーバ１０６のＳＦＴ比較構成要素５４０に提供され得る。一態様（図示せず）では、サーバ１０６はまた、ＳＦＴ（第２の画像）とともに、デバイス１０４に関連する認証情報を受信することができる。
【０１０１】
[00106]７６０において、方法７００は、他の画像についての以前記憶された特徴テンプレートと第２の画像についての特徴テンプレートを、以前記憶された特徴テンプレートの中でマッチングする特徴テンプレートを識別するために比較することを含み得る。たとえば、ＳＦＴ比較構成要素５４０は、以前記憶された特徴テンプレートとＳＦＴ（第２の画像）を、以前記憶された特徴テンプレートをＳＦＴデータストア５２２から取り出すことによって比較することができる。一例では、ＳＦＴ（第１の画像）は、ＳＦＴデータストア５２２に以前記憶されていて、ＳＦＴ比較構成要素５４０によってＳＦＴ（第２の画像）と比較された以前記憶された特徴テンプレートの中にあることがある。さらに、本例では、ＳＦＴ（第１の画像）は、ＳＦＴ比較構成要素５４０によって、ＳＦＴ（第２の画像）とマッチングすると決定され得る。
【０１０２】
[00107]７７０において、方法７００は、マッチングする特徴テンプレートに関する関連情報が第２のデバイスと共有され得るかどうかを決定することを含み得る。たとえば、ＳＦＴ比較構成要素５４０は、ＳＦＴ（第１の画像）に関する関連情報がデバイス１０４と共有され得るかどうかを、登録データストア５２４から登録情報を取り出すことによって決定することができる。一態様では、デバイス１０４が認証情報をサーバ１０６に提供した場合に、ＳＦＴ比較構成要素５４０は、ＳＦＴ（第１の画像）に関する関連情報をデバイス１０４と共有し得るかどうかを、デバイス１０４からの要求に対する信頼を確立するための情報（たとえば、認証情報）、登録パラメータ、サーバ１０６に関連するサービスについての設定、ならびに／または関連する法律および規則の間の比較に基づいて決定するように構成され得る。
【０１０３】
[00108]７８０において、方法７００は、マッチングする特徴テンプレートに関する関連情報についてのアクセス指示を第２のデバイスに返信することを含み得る。一態様では、ＳＦＴ比較構成要素５４０は通信構成要素５５０を介して、たとえば、否定応答または肯定応答などのアクセス指示をデバイス１０４に返信することができる。肯定応答の場合、ＳＦＴ比較構成要素５４０は、マッチングするＳＦＴについての相関するアクセス情報の全部または一部（たとえば、サブセット）をデバイス１０４に提供することもできる。
【０１０４】
[00109]方法７００を一連の行為として図示し説明するが、いくつかの行為は、１つまたは複数の態様によれば、本明細書で図示し説明する順序とは異なる順序で、および／または他の行為と同時に行われるので、方法は行為の順序によって限定されないことを理解し、諒解されたい。たとえば、方法は、状態図など、一連の相互に関係する状態またはイベントとして代替的に表現され得ることを諒解されたい。さらに、１つまたは複数の態様による方法を実施するために、図示のすべての行為が必要とされるとは限らない。
【０１０５】
[00110]図８を参照すると、コンピュータデバイス８００の一態様が、デバイス１０２、デバイス１０４、および／またはサーバ１０６の様々な構成要素のうちのいずれか１つの本明細書で説明するそれぞれの機能を実行するように特別にプログラムまたは構成され得る。たとえば、一態様では、コンピュータデバイス８００は、いずれも図１〜図４に示されている、デバイス１０２の画像構成要素３１０、登録構成要素３２０、随意の特徴テンプレート構成要素３４０、および／もしくは関連情報構成要素３３０、デバイス１０４の画像構成要素４１０、関連情報要求構成要素４２０、認証情報構成要素４３０、および／もしくは特徴テンプレート構成要素４４０、ならびに／またはサーバ１０６の登録構成要素５１０、特徴テンプレート構成要素５３０、および／もしくはＳＦＴ比較構成要素５４０を含むことができる。
【０１０６】
[00111]コンピュータデバイス８００は、本明細書で説明する構成要素および機能のうちの１つまたは複数に関連する処理機能を実行するように特別に構成されたプロセッサ８１０を含む。プロセッサ８１０は、プロセッサまたはマルチコアプロセッサの単一または複数のセットを含むことができる。さらに、プロセッサ８１０は統合処理システムおよび／または分散処理システムとして実装され得る。たとえば、プロセッサ８１０は、デバイス１０２の画像構成要素３１０、登録構成要素３２０、関連情報構成要素３３０、および／または（随意の）特徴テンプレート構成要素３４０の説明する機能を実行するように構成され得る。別の例では、プロセッサ８１０は、デバイス１０４の画像構成要素４１０、認証情報要求構成要素４２０、認証情報構成要素４３０、および／または特徴テンプレート構成要素４４０の説明する機能を実行するように構成され得る。また別の例では、プロセッサ８１０は、サーバ１０６の登録構成要素５１０、特徴テンプレート構成要素５３０、および／またはＳＦＴ比較構成要素５４０の説明する機能を実行するように構成され得る。
【０１０７】
[00112]コンピュータデバイス８００は、たとえば、本明細書で説明するそれぞれのエンティティのそれぞれの機能を実行するために、たとえば、本明細書で使用するデータおよび／またはアプリケーションのローカルバージョンおよび／またはプロセッサ８１０によって実行される命令もしくはコードを記憶するための、メモリ８２０をさらに含む。メモリ８２０は、ランダムアクセスメモリ（ＲＡＭ）、読取り専用メモリ（ＲＯＭ）、テープ、磁気ディスク、光ディスク、揮発性メモリ、不揮発性メモリ、およびそれらの任意の組合せなど、コンピュータによって使用可能な任意のタイプのメモリを含むことができる。たとえば、メモリ８２０は、サーバ１０６のメモリ５２０に関して本明細書で説明するように、画像、登録情報、関連情報、および／または特徴テンプレートを記憶するように構成され得る。
【０１０８】
[00113]さらに、コンピュータデバイス８００は、本明細書で説明するように、ハードウェア、ソフトウェア、およびサービスを利用して、１つまたは複数の相手との通信を確立し、維持することを行う通信構成要素８３０を含む。通信構成要素８３０は、コンピュータデバイス８００上の構成要素間、ならびにコンピュータデバイス８００と、通信ネットワーク上に位置するデバイス、および／またはコンピュータデバイス８００に直列もしくはローカルに接続されたデバイスなどの外部デバイスとの間の通信を伝え得る。たとえば、通信構成要素８３０は、１つまたは複数のバスを含むことができ、外部デバイスとインターフェースするように動作可能な、それぞれ送信機および受信機、またはトランシーバに関連する、送信チェーン構成要素と受信チェーン構成要素とをさらに含むことができる。たとえば、通信構成要素８３０は、デバイス１０２の通信構成要素３５０、デバイス１０４の通信構成要素４５０、および／またはサーバ１０６の通信構成要素５５０の本明細書で説明する機能を実行するように構成され得る。
【０１０９】
[00114]さらに、コンピュータデバイス８００はデータストア８４０をさらに含むことができ、データストア８４０は、本明細書で説明する態様に関連して採用される情報、データベース、およびプログラムの大容量ストレージを与えるハードウェアおよび／またはソフトウェアの任意の適切な組合せであり得る。たとえば、データストア８４０は、プロセッサ８１０によって現在実行されていないアプリケーションのためのデータリポジトリであり得る。たとえば、データストア８４０は、サーバ１０６のＳＦＴデータストア５２２、登録データストア５２４、および／または関連情報データストア５２６に関して本明細書で説明するように、画像、登録情報、関連情報、および／または特徴テンプレートを記憶するように構成され得る。
【０１１０】
[00115]コンピュータデバイス８００は、さらに、コンピュータデバイス８００のユーザから入力を受信するように動作可能であり、ユーザへの提示のための出力を生成するようにさらに動作可能なユーザインターフェース構成要素８５０を含み得る。ユーザインターフェース構成要素８５０は、限定はしないが、キーボード、ナンバーパッド、マウス、タッチセンシティブディスプレイ、ナビゲーションキー、ファンクションキー、マイクロフォン、音声認識構成要素、ユーザから入力を受信することが可能な任意の他の機構、またはそれらの任意の組合せを含む、１つまたは複数の入力デバイスを含み得る。さらに、ユーザインターフェース構成要素８５０は、限定はしないが、ディスプレイ、スピーカー、触覚フィードバック機構、プリンタ、出力をユーザに提示することが可能な任意の他の機構、またはそれらの任意の組合せを含む、１つまたは複数の出力デバイスを含み得る。たとえば、ユーザインターフェース構成要素７５０は、入力をデバイス１０２（たとえば、画像、登録情報および関連情報）および／もしくはデバイス１０４（たとえば、画像および／もしくは認証情報）から受信し、ならびに／または出力をデバイス１０２（たとえば、デバイス１０４からの要求に対する信頼を確立するための情報（たとえば、認証情報））および／もしくはデバイス１０４（たとえば、アクセス指示および／もしくは関連情報）に提供するように構成され得る。
【０１１１】
[00116]本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、限定はしないが、プロセッサ上で実行されるプロセス、プロセッサ、オブジェクト、実行ファイル、実行スレッド、プログラムおよび／またはコンピュータであり得る。例として、コンピューティングデバイス上で実行されるアプリケーションと、そのコンピューティングデバイスの両方が構成要素であり得る。１つまたは複数の構成要素がプロセスおよび／または実行スレッド内に存在することができ、１つの構成要素は１つのコンピュータ上に配置され得、および／または２つ以上のコンピュータ間に分散され得る。さらに、これらの構成要素は、様々なデータ構造を記憶している様々なコンピュータ可読媒体から実行することができる。これらの構成要素は、信号を介して、ローカルシステム、分散システム内の別の構成要素と相互作用し、および／またはインターネットなどのネットワーク上で他のシステムと相互作用する１つの構成要素からのデータのような、１つまたは複数のデータパケットを有する信号に従うことなどによって、ローカルプロセスおよび／またはリモートプロセスを介して通信し得る。
【０１１２】
[00117]さらに、本明細書では、ワイヤード端末またはワイヤレス端末とすることができる端末に関して、様々な態様について説明する。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器（ＵＥ）と呼ばれることもある。ワイヤレス端末は、セルラー電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスであり得る。さらに、本明細書では基地局に関して、様々な態様について説明する。基地局は、ワイヤレス端末と通信するために利用され得、アクセスポイント、ノードＢ、または何らかの他の用語で呼ばれることもある。
【０１１３】
[00118]さらに、「または」という用語は、排他的な「または」ではなく、包括的な「または」を意味するものとする。すなわち、別段に規定されていない限り、または文脈から明らかでない限り、「ＸはＡまたはＢを採用する」という句は、自然包括的並べ替えのいずれかを意味するものとする。すなわち、「ＸはＡまたはＢを採用する」という句は、以下の場合、すなわち、ＸがＡを採用する場合、ＸがＢを採用する場合、またはＸがＡとＢの両方を採用する場合のうちのいずれかによって満足される。その上、本出願と添付の特許請求の範囲とで使用されるとき、冠詞「ａ」と「ａｎ」とは、別段に規定されていない限り、または単数形を対象とすべきであると文脈から明らかでない限り、通常、「１つまたは複数」を意味すると解釈されるべきである。
【０１１４】
[00119]本明細書で説明する技法は、ＣＤＭＡ、ＴＤＭＡ、ＦＤＭＡ、ＯＦＤＭＡ、ＳＣ−ＦＤＭＡ、ＴＤ−ＳＣＤＭＡ、ＬＴＥ、および他のシステムなど、様々なワイヤレス通信システムに使用され得る。「システム」および「ネットワーク」という用語は、しばしば互換的に使用される。ＣＤＭＡシステムは、ユニバーサル地上波無線アクセス（ＵＴＲＡ）、ｃｄｍａ２０００などの無線技術を実装し得る。ＵＴＲＡは、広帯域ＣＤＭＡ（Ｗ−ＣＤＭＡ（登録商標））およびＣＤＭＡの他の変形態を含む。さらに、ｃｄｍａ２０００は、ＩＳ−２０００規格と、ＩＳ−９５規格と、ＩＳ−８５６規格とをカバーする。ＴＤＭＡシステムは、モバイル通信用グローバルシステム（ＧＳＭ（登録商標）：Global System for Mobile Communications）などの無線技術を実装し得る。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）は、ダウンリンク上ではＯＦＤＭＡを採用し、アップリンク上ではＳＣ−ＦＤＭＡを採用する、Ｅ−ＵＴＲＡを使用するＵＭＴＳのリリースである。ＵＴＲＡ、Ｅ−ＵＴＲＡ、ＵＭＴＳ、ＬＴＥおよびＧＳＭは、「第３世代パートナーシッププロジェクト」（３ＧＰＰ：3rd Generation Partnership Project）と称する団体からの文書に記載されている。さらに、ｃｄｍａ２０００およびＵＭＢは、「第３世代パートナーシッププロジェクト２」（３ＧＰＰ２：3rd Generation Partnership Project 2）と称する団体からの文書に記載されている。さらに、そのようなワイヤレス通信システムは、不対無資格スペクトル、８０２．ｘｘワイヤレスＬＡＮ、ＢＬＵＥＴＯＯＴＨ（登録商標）および任意の他の短距離または長距離ワイヤレス通信技法をしばしば使用するピアツーピア（たとえば、モバイルツーモバイル）アドホックネットワークシステムをさらに含むことができる。
【０１１５】
[00120]様々な態様または特徴が、いくつかのデバイス、構成要素、モジュールなどを含み得るシステムに関して提示される。様々なシステムは、追加のデバイス、構成要素、モジュールなどを含んでもよく、および／または各図に関連して論じるデバイス、構成要素、モジュールなどのすべてを含まなくてもよいことを理解および諒解されたい。これらの手法の組合せも使用され得る。
【０１１６】
[00121]本明細書で開示した態様に関して説明した様々な例示的な論理、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替手段として、プロセッサは、任意の従来型のプロセッサ、コントローラ、マイクロコントローラ、または状態機械であり得る。プロセッサはまた、コンピューティングデバイス同士の組合せとして、たとえばＤＳＰとマイクロプロセッサの組合せ、複数のマイクロプロセッサ、１つもしくは複数のマイクロプロセッサとＤＳＰコアとの併用、または他の任意のそのような構成として、実装され得る。さらに、少なくとも１つのプロセッサは、上記で説明したステップおよび／またはアクションのうちの１つまたは複数を実行するように動作可能な１つまたは複数のモジュールを備え得る。
【０１１７】
[00122]さらに、本明細書で開示した態様に関して説明した方法またはアルゴリズムのステップおよび／またはアクションは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に存在し得る。記憶媒体はプロセッサに結合されてよく、それにより、プロセッサは記憶媒体に対して情報を読み書きすることができる。代替として、記憶媒体はプロセッサに統合されてもよい。さらに、いくつかの態様では、プロセッサおよび記憶媒体はＡＳＩＣ中に存在し得る。加えて、ＡＳＩＣはユーザ端末中に存在し得る。代わりに、プロセッサおよび記憶媒体は、ユーザ端末中の個別構成要素として存在し得る。さらに、いくつかの態様では、方法またはアルゴリズムのステップおよび／またはアクションは、コンピュータプログラム製品に組み込まれ得る、機械可読媒体および／またはコンピュータ可読媒体上のコードおよび／または命令の１つまたは任意の組合せ、あるいはそのセットとして存在し得る。
【０１１８】
[00123]１つまたは複数の態様では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶され得るか、あるいはコンピュータ可読媒体上で送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であってよい。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と呼ばれ得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（登録商標）（disc）、光ディスク（disc）、デジタル多用途ディスク（disc）（ＤＶＤ）、フロッピー（登録商標）ー（登録商標）ディスク（disk）およびブルーレイ（登録商標）ディスク（disc）を含み、ディスク（disk）は、通常、データを磁気的に再生し、ディスク（disc）は、通常、データをレーザで光学的に再生する。上記の組合せも、コンピュータ可読媒体の範囲内に含まれるものとする。
【０１１９】
[00124]上記の開示は、例示的な態様および／または実施形態について論じているが、添付の特許請求の範囲によって定義された説明した態様および／または実施形態の範囲から逸脱することなく、様々な変更および改変が本明細書で行われ得ることに留意されたい。さらに、記載の態様および／または実施形態の要素は、単数形で説明または特許請求されていることがあるが、単数形に限定することが明示的に述べられていない限り、複数形が企図される。加えて、任意の態様および／または実施形態の全部または一部は、別段の規定がない限り、任意の他の態様および／または実施形態の全部または一部とともに利用され得る。
以下に、出願当初の特許請求の範囲に記載された発明を付記する。
［Ｃ１］
デバイスによって、画像に関連する情報へのアクセスを要求するための方法であって、
画像から特徴データを抽出することと、
前記抽出された特徴データに基づいて前記画像についての特徴テンプレートを作成することと、
サーバに前記特徴テンプレートを提供することと、
前記画像に関する関連情報についてのアクセス指示を前記サーバから受信することと
を備える方法。
［Ｃ２］
要求に対する信頼を確立するための情報を前記サーバに提供することをさらに備え、ここにおいて、前記情報は、前記デバイスに関連する認証情報を備える、Ｃ１に記載の方法。
［Ｃ３］
前記アクセス指示を受信することは、前記認証情報に少なくとも部分的に基づいて受信することを備える、Ｃ２に記載の方法。
［Ｃ４］
前記アクセス指示を受信することは、前記認証情報に少なくとも部分的に基づいて肯定応答と前記関連情報とを前記サーバから受信することをさらに備える、Ｃ２に記載の方法。
［Ｃ５］
前記アクセス指示を受信することは、前記認証情報に少なくとも部分的に基づいて肯定応答と前記関連情報のサブセットとを受信することをさらに備える、Ｃ２に記載の方法。
［Ｃ６］
前記アクセス指示を受信することは、前記認証情報に少なくとも部分的に基づいて否定応答を受信することをさらに備える、Ｃ２に記載の方法。
［Ｃ７］
前記画像から特徴データを抽出することは、パラメトリックデータを抽出することを備える、Ｃ１に記載の方法。
［Ｃ８］
前記特徴テンプレートは被覆特徴テンプレート（ＳＦＴ）である、Ｃ１に記載の方法。
［Ｃ９］
デバイスによって、画像に関連する情報へのアクセスを要求するためのコンピュータプログラム製品であって、
コンピュータ可読媒体を備え、前記コンピュータ可読媒体が、
コンピュータに、画像から特徴データを抽出させるための少なくとも１つの命令と、
前記コンピュータに、前記抽出された特徴データに基づいて前記画像についての特徴テンプレートを作成させるための少なくとも１つの命令と、
前記コンピュータに、サーバに前記特徴テンプレートを提供させるための少なくとも１つの命令と、
前記コンピュータに、前記画像に関する関連情報についてのアクセス指示を前記サーバから受信させるための少なくとも１つの命令と
を備える、コンピュータプログラム製品。
［Ｃ１０］
デバイスによって、画像に関連する情報へのアクセスを要求するための装置であって、
画像から特徴データを抽出するための手段と、
前記抽出された特徴データに基づいて前記画像についての特徴テンプレートを作成するための手段と、
サーバに前記特徴テンプレートを提供するための手段と、
前記画像に関する関連情報についてのアクセス指示を前記サーバから受信するための手段と
を備える装置。
［Ｃ１１］
デバイスによって、画像に関連する情報へのアクセスを要求するための装置であって、
画像から特徴データを抽出し、前記抽出された特徴データに基づいて前記画像についての特徴テンプレートを作成するように構成された特徴テンプレート構成要素と、
サーバに前記特徴テンプレートを提供し、前記画像に関する関連情報についてのアクセス指示を前記サーバから受信するように構成された関連情報要求構成要素と
を備える装置。
［Ｃ１２］
要求に対する信頼を確立するための情報を前記サーバに提供するように構成された前記関連情報要求構成要素をさらに備え、ここにおいて、前記情報は、前記デバイスに関連する認証情報を備える、Ｃ１１に記載の装置。
［Ｃ１３］
前記アクセス指示を受信するように構成された前記関連情報要求構成要素は、前記認証情報に少なくとも部分的に基づいて受信するように構成された前記関連情報要求構成要素を備える、Ｃ１２に記載の装置。
［Ｃ１４］
前記アクセス指示を受信するように構成された前記関連情報要求構成要素は、前記認証情報に少なくとも部分的に基づいて肯定応答と前記関連情報とを前記サーバから受信するように構成された前記関連情報要求構成要素をさらに備える、Ｃ１２に記載の装置。
［Ｃ１５］
前記アクセス指示を受信するように構成された前記関連情報要求構成要素は、前記認証情報に少なくとも部分的に基づいて肯定応答と前記関連情報のサブセットとを受信するように構成された前記関連情報要求構成要素をさらに備える、Ｃ１２に記載の装置。
［Ｃ１６］
前記アクセス指示を受信するように構成された前記関連情報要求構成要素は、前記認証情報に少なくとも部分的に基づいて否定応答を受信するように構成された前記関連情報要求構成要素をさらに備える、Ｃ１２に記載の装置。
［Ｃ１７］
前記画像から特徴データを抽出するように構成された前記特徴テンプレート構成要素は、パラメトリックデータを抽出するように構成された前記特徴テンプレート構成要素を備える、Ｃ１２に記載の装置。
［Ｃ１８］
前記特徴テンプレートは被覆特徴テンプレート（ＳＦＴ）である、Ｃ１１に記載の装置。
［Ｃ１９］
サーバによって、画像に関連する情報へのアクセスを提供するための方法であって、
第１の画像情報と、登録情報と、第１の画像に関する関連情報とを第１のデバイスから受信することと、
前記第１の画像情報に関連する特徴テンプレートと、登録と、前記第１の画像に関する前記関連情報とを記憶し相関付けることと、
第２の画像についての第２の特徴テンプレートを第２のデバイスから受信することと、
以前記憶された特徴テンプレートと前記第２の画像についての前記第２の特徴テンプレートを、前記以前記憶された特徴テンプレートの中でマッチングする特徴テンプレートを識別するために比較することと、
マッチングする特徴テンプレートに関する関連情報が前記第２のデバイスと共有され得るかどうかを決定することと、
前記マッチングする特徴テンプレートに関する関連情報についてのアクセス指示を前記第２のデバイスに返信することと
を備える方法。
［Ｃ２０］
要求に対する信頼を確立するための情報を前記第２のデバイスから受信することをさらに備え、ここにおいて、前記情報は、前記第２のデバイスに関連する認証情報を備える、Ｃ１９に記載の方法。
［Ｃ２１］
マッチングする特徴テンプレートに関する関連情報が前記第２のデバイスと共有され得るかどうかを決定することは、前記第１の画像に関する関連情報が前記サーバによって前記第２のデバイスと共有され得るかどうかを決定するために、前記認証情報を前記登録と比較することを備える、Ｃ２０に記載の方法。
［Ｃ２２］
マッチングする特徴テンプレートに関する関連情報が前記第２のデバイスと共有され得るかどうかを決定することは、前記第１の画像に関する前記関連情報のある量が前記サーバによって前記第２のデバイスと共有され得ると決定するために、前記認証情報を前記登録と比較することを備える、Ｃ２０に記載の方法。
［Ｃ２３］
前記マッチングする特徴テンプレートに関する前記関連情報が前記第２のデバイスと共有され得るかどうかを決定することは、前記認証情報に少なくとも部分的に基づいて、前記関連情報の全部が前記第２のデバイスと共有され得ると決定することを備え、
アクセス指示を前記第２のデバイスに返信することは、肯定応答と前記マッチングする特徴テンプレートに関する前記関連情報の全部とを前記第２のデバイスに返信することを備える、Ｃ２０に記載の方法。
［Ｃ２４］
前記マッチングする特徴テンプレートに関する関連情報が前記第２のデバイスと共有され得るかどうかを決定することは、前記認証情報に少なくとも部分的に基づいて、前記関連情報のサブセットが前記第２のデバイスと共有され得ると決定することを備え、
アクセス指示を前記第２のデバイスに返信することは、肯定応答と前記マッチングする特徴テンプレートに関する前記関連情報の前記サブセットとを前記第２のデバイスに返信することを備える、Ｃ２０に記載の方法。
［Ｃ２５］
前記マッチングする特徴テンプレートに関する関連情報が前記第２のデバイスと共有され得るかどうかを決定することは、前記認証情報に少なくとも部分的に基づいて、前記マッチングする特徴テンプレートに関する前記関連情報のいずれも前記第２のデバイスと共有され得ないと決定することを備え、
アクセス指示を前記第２のデバイスに返信することは、否定応答を返信することを備える、Ｃ２０に記載の方法。
［Ｃ２６］
第１の画像情報を受信することは、第１の画像を受信することを備え、前記方法は、
前記第１の画像から第１の特徴データを抽出することと、
前記抽出された第１の特徴データに基づいて前記第１の画像についての第１の特徴テンプレートを作成することとをさらに備え、ここにおいて、前記第１の画像情報に関連する特徴テンプレートと、前記登録と、前記第１の画像に関する前記関連情報とを記憶し相関付けることは、前記第１の特徴テンプレートと、前記登録と、前記第１の画像に関する前記関連情報とを記憶し相関付けることを備える、Ｃ１９に記載の方法。
［Ｃ２７］
第１の画像情報を受信することは、第１の特徴テンプレートを受信することを備え、
前記第１の画像情報に関連する特徴テンプレートと、前記登録と、前記第１の画像に関する前記関連情報とを記憶し相関付けることは、前記第１の特徴テンプレートと、前記登録と、前記第１の画像に関する前記関連情報とを記憶し相関付けることを備える、Ｃ１９に記載の方法。
［Ｃ２８］
特徴データを抽出することは、パラメトリックデータを抽出することを備える、Ｃ１９に記載の方法。
［Ｃ２９］
前記第１の特徴テンプレートおよび前記第２の特徴テンプレートは被覆特徴テンプレート（ＳＦＴ）である、Ｃ１９に記載の方法。
［Ｃ３０］
サーバによって、画像に関連する情報へのアクセスを提供するためのコンピュータプログラム製品であって、
コンピュータ可読媒体を備え、前記コンピュータ可読媒体が、
コンピュータに、第１の画像情報と、登録情報と、第１の画像に関する関連情報とを第１のデバイスから受信させるための少なくとも１つの命令と、
コンピュータに、前記第１の画像情報に関連する特徴テンプレートと、登録と、前記第１の画像に関する前記関連情報とを記憶させ相関付けさせるための少なくとも１つの命令と、
コンピュータに、第２の画像についての第２の特徴テンプレートを第２のデバイスから受信させるための少なくとも１つの命令と、
コンピュータに、以前記憶された特徴テンプレートと前記第２の画像についての前記第２の特徴テンプレートを、前記以前記憶された特徴テンプレートの中でマッチングする特徴テンプレートを識別するために比較させるための少なくとも１つの命令と、
コンピュータに、マッチングする特徴テンプレートに関する関連情報が前記第２のデバイスと共有され得るかどうかを決定させるための少なくとも１つの命令と、
コンピュータに、前記マッチングする特徴テンプレートに関する関連情報についてのアクセス指示を前記第２のデバイスに返信させるための少なくとも１つの命令と
を備える、コンピュータプログラム製品。
［Ｃ３１］
サーバによって、画像に関連する情報へのアクセスを提供するための装置であって、
第１の画像情報と、登録情報と、第１の画像に関する関連情報とを第１のデバイスから受信するための手段と、
前記第１の画像情報に関連する特徴テンプレートと、登録と、前記第１の画像に関する前記関連情報とを記憶し相関付けるための手段と、
第２の画像についての第２の特徴テンプレートを第２のデバイスから受信するための手段と、
以前記憶された特徴テンプレートと前記第２の画像についての前記第２の特徴テンプレートを、前記以前記憶された特徴テンプレートの中でマッチングする特徴テンプレートを識別するために比較するための手段と、
マッチングする特徴テンプレートに関する関連情報が前記第２のデバイスと共有され得るかどうかを決定するための手段と、
前記マッチングする特徴テンプレートに関する関連情報についてのアクセス指示を前記第２のデバイスに返信するための手段と
を備える装置。
［Ｃ３２］
サーバによって、画像に関連する情報へのアクセスを提供するための装置であって、
第１の画像情報と、登録情報と、第１の画像に関する関連情報とを第１のデバイスから受信し、
前記第１の画像情報に関連する特徴テンプレートと、登録と、前記第１の画像に関する前記関連情報とを記憶し相関付けるように構成された登録構成要素と、
第２の画像についての第２の特徴テンプレートを第２のデバイスから受信し、以前記憶された特徴テンプレートと前記第２の画像についての前記第２の特徴テンプレートを、前記以前記憶された特徴テンプレートの中でマッチングする特徴テンプレートを識別するために比較し、
マッチングする特徴テンプレートに関する関連情報が前記第２のデバイスと共有され得るかどうかを決定し、
前記マッチングする特徴テンプレートに関する関連情報についてのアクセス指示を前記第２のデバイスに返信するように構成された被覆特徴テンプレート（ＳＦＴ）比較構成要素と
を備える装置。
［Ｃ３３］
要求に対する信頼を確立するための情報を前記第２のデバイスから受信するように構成された前記被覆特徴テンプレート（ＳＦＴ）比較構成要素をさらに備え、ここにおいて、前記情報は、前記第２のデバイスに関連する認証情報を備える、Ｃ３２に記載の装置。
［Ｃ３４］
マッチングする特徴テンプレートに関する関連情報が前記第２のデバイスと共有され得るかどうかを決定するように構成された前記被覆特徴テンプレート（ＳＦＴ）比較構成要素は、前記第１の画像に関する関連情報が前記サーバによって前記第２のデバイスと共有され得るかどうかを決定するために、前記登録構成要素から前記登録を取り出し、前記認証情報を前記登録と比較するように構成された前記被覆特徴テンプレート（ＳＦＴ）比較構成要素を備える、Ｃ３３に記載の装置。
［Ｃ３５］
マッチングする特徴テンプレートに関する関連情報が前記第２のデバイスと共有され得るかどうかを決定するように構成された前記被覆特徴テンプレート（ＳＦＴ）比較構成要素は、前記第１の画像に関する前記関連情報のある量が前記サーバによって前記第２のデバイスと共有され得ると決定するために、前記登録構成要素から前記登録を取り出し、前記認証情報を前記登録と比較するように構成された前記被覆特徴テンプレート（ＳＦＴ）比較構成要素を備える、Ｃ３３に記載の装置。
［Ｃ３６］
前記マッチングする特徴テンプレートに関する前記関連情報が前記第２のデバイスと共有され得るかどうかを決定するように構成された前記被覆特徴テンプレート（ＳＦＴ）比較構成要素は、前記認証情報に少なくとも部分的に基づいて、前記関連情報の全部が前記第２のデバイスと共有され得ると決定するように構成された前記被覆特徴テンプレート（ＳＦＴ）比較構成要素を備え、
アクセス指示を前記第２のデバイスに返信するように構成された前記被覆特徴テンプレート（ＳＦＴ）比較構成要素は、肯定応答と前記マッチングする特徴テンプレートに関する前記関連情報の全部とを前記第２のデバイスに返信するように構成された前記被覆特徴テンプレート（ＳＦＴ）比較構成要素を備える、Ｃ３３に記載の装置。
［Ｃ３７］
前記マッチングする特徴テンプレートに関する関連情報が前記第２のデバイスと共有され得るかどうかを決定するように構成された前記被覆特徴テンプレート（ＳＦＴ）比較構成要素は、前記認証情報に少なくとも部分的に基づいて、前記関連情報のサブセットが前記第２のデバイスと共有され得ると決定するように構成された前記被覆特徴テンプレート（ＳＦＴ）比較構成要素を備え、
アクセス指示を前記第２のデバイスに返信するように構成された前記被覆特徴テンプレート（ＳＦＴ）比較構成要素は、肯定応答と前記マッチングする特徴テンプレートに関する前記関連情報の前記サブセットとを前記第２のデバイスに返信するように構成された前記被覆特徴テンプレート（ＳＦＴ）比較構成要素を備える、Ｃ３３に記載の装置。
［Ｃ３８］
前記マッチングする特徴テンプレートに関する関連情報が前記第２のデバイスと共有され得るかどうかを決定するように構成された前記被覆特徴テンプレート（ＳＦＴ）比較構成要素は、前記認証情報に少なくとも部分的に基づいて、前記マッチングする特徴テンプレートに関する前記関連情報のいずれも前記第２のデバイスと共有され得ないと決定するように構成されたプロセッサを備え、
アクセス指示を前記第２のデバイスに返信するように構成された前記被覆特徴テンプレート（ＳＦＴ）比較構成要素は、否定応答を返信するように構成された前記被覆特徴テンプレート（ＳＦＴ）比較構成要素を備える、Ｃ３３に記載の装置。
［Ｃ３９］
第１の画像情報を受信するように構成された前記登録構成要素は、第１の画像を受信するように構成された前記登録構成要素を備え、前記装置は、
前記第１の画像から第１の特徴データを抽出し、
前記抽出された第１の特徴データに基づいて前記第１の画像についての第１の特徴テンプレートを作成するように構成された特徴テンプレート構成要素をさらに備え、ここにおいて、前記第１の画像情報に関連する特徴テンプレートと、前記登録と、前記第１の画像に関する前記関連情報とを記憶し相関付けるように構成された前記登録構成要素は、前記第１の特徴テンプレートと、前記登録と、前記第１の画像に関する前記関連情報とを記憶し相関付けるように構成された前記登録構成要素を備える、Ｃ３２に記載の装置。
［Ｃ４０］
第１の画像情報を受信するように構成された前記登録構成要素は、第１の特徴テンプレートを受信するように構成された前記登録構成要素を備え、
前記第１の画像情報に関連する特徴テンプレートと、前記登録と、前記第１の画像に関する前記関連情報とを記憶し相関付けるように構成された前記登録構成要素は、前記第１の特徴テンプレートと、前記登録と、前記第１の画像に関する前記関連情報とを記憶し相関付けるように構成された前記登録構成要素を備える、Ｃ３２に記載の装置。
［Ｃ４１］
特徴データを抽出するように構成された前記特徴テンプレート構成要素は、パラメトリックデータを抽出するように構成された前記特徴テンプレート構成要素を備える、Ｃ３９に記載の装置。
［Ｃ４２］
前記第１の特徴テンプレートおよび前記第２の特徴テンプレートは被覆特徴テンプレート（ＳＦＴ）である、Ｃ３９に記載の装置。
【図１】
0005981068.tif 000002
【図２】
0005981068.tif 000003
【図３】
0005981068.tif 000004
【図４】
0005981068.tif 000005
【図５】
0005981068.tif 000006
【図６】
0005981068.tif 000007
【図７】
0005981068.tif 000008
【図８】
0005981068.tif 000009